(57)【要約】【課題】従来のマーキングボール発射装置では、部品点数が多くなって装置が大型し、発射装置の作動用電源が必要となるため、発射装置は設置タイプに構成せざるを得ず、携帯に適した形態に構成することは困難であった。【解決手段】一端から他端にかけてガス通路１１ａが形成される本体部１０と、圧縮気体が充填されたガスボンベ２２を収納し、本体の一端側に装着されるホルダー部２０と、マーキングボール３３が装填され、本体部の他端側に装着されるバレル部３０とを備え、本体部には、ガスボンベの開封手段であるピストン１３、および該ピストンの操作レバー１２が設けられ、本体部のガス通路は、ガスホルダー部とバレル部とにより密封されており、操作レバーの操作によりガスボンベが開封されると、ガスボンベ内の圧縮気体が本体部のガス通路内に充満し、充満した圧縮気体の圧力により、バレル部に装填されるマーキングボールがバレル部外部へ発射される。【選択図】図１
2006038445.tif 000002
【特許請求の範囲】
【請求項１】
一端から他端にかけてガス通路が形成される本体部と、
圧縮気体が充填されたボンベを収納し、本体の一端側に装着されるガスホルダー部と、
マーキングボールが装填され、本体の他端側に装着されるバレル部とを備え、
前記本体部には、ガスホルダー内のボンベの開封手段、および該開封手段を操作する操作手段が設けられ、
前記本体部のガス通路は、ガスホルダー部とマーキングボールが装填されたバレル部とにより密封されており、
操作手段の操作によりボンベが開封されると、ボンベ内の圧縮気体が本体のガス通路内に充満し、充満した圧縮気体の圧力により、バレル部に装填されるマーキングボールがバレル部外部へ発射されることを特徴とするマーキングボール発射装置。
【請求項２】
前記ガスホルダー部内のボンベの開封部は、本体部のガス通路内に面しており、
前記ボンベの開封手段は、本体部のガス通路内に摺動自在に嵌装され、付勢手段によりガスホルダー部側へ付勢されるピストンであって、該ピストンのガスホルダー部側端部には、ガスホルダー部側に突出する尖端を備えた突起部が形成されるとともに、ガス通路におけるピストンよりガスホルダー部側に位置する部分とバレル部側に位置する部分とを連通する連通孔が形成されており、
前記操作手段は、ピストンの摺動方向への移動可能状態と移動不能状態とを切り換える操作具であり、
操作具の操作によりピストンを摺動不能状態から摺動可能状態へ切り換えると、該ピストンが付勢手段の付勢力によりガスホルダー部側へ移動して、該ピストンの突起部がボンベの開封部を打ち破ってボンベを開封し、
開封されたボンベから放出される圧縮気体が、ピストンの連通孔を通じてガス通路のピストンよりガスホルダー部側に位置する部分からバレル部側に位置する部分へ侵入することを特徴とする請求項１に記載のマーキングボール発射装置。
【請求項３】
前記バレル部には、複数個のマーキングボールが装填されていることを特徴とする請求項１または請求項２に記載のマーキングボール発射装置。
【請求項４】
前記マーキングボール発射装置には通信端末装置が装着可能であり、
操作手段を操作してマーキングボールを発射させると、マーキングボールが発射された旨の情報および該マーキングボール発射装置に固有の情報が、装着された通信端末装置から予め設定されている送信先へ送信されることを特徴とする請求項１〜請求項３の何れか一項に記載のマーキングボール発射装置。
【請求項５】
前記通信端末装置はデータ通信機能を有し、さらに撮像機能、音声記録機能、および位置情報取得機能、の少なくとも一つの機能を有することを特徴とする請求項４に記載のマーキングボール発射装置。
【請求項６】
マーキングボール内には複数種類の成分を含む被識別剤が充填されており、
被識別剤の各成分の含有率が異なる複数のマーキングボールが存在し、
マーキングボール発射装置に装着されているマーキングボールにおける被識別剤の各成分の含有率と、そのマーキングボール発射装置に固有の情報とを対応付けた情報が、前記送信先の記憶装置に記憶されていることを特徴とする請求項４または請求項５に記載のマーキングボール発射装置。
【請求項７】
請求項１〜４の何れかに記載のマーキングボール発射装置と、マーキングボール発射装置に装着した通信端末装置と、通信端末装置と通信可能なサーバと、サーバと接続されるデータベースとを備え、
マーキングボール発射装置がマーキングボールを発射すると、マーキングボールが発射された旨の情報および該マーキングボール発射装置に固有の情報が、通信端末装置から予め設定されている送信先へ送信されることを特徴とする識別システム。
【請求項８】
前記通信端末装置はデータ通信機能を有し、さらに撮像機能、音声記録機能、および位置情報取得機能、の少なくとも一つの機能を有することを特徴とする請求項７に記載の識別システム。
【請求項９】
マーキングボール内には複数種類の成分を含む被識別剤が充填されており、
被識別剤の各成分の含有率が異なる複数のマーキングボールが存在し、
マーキングボール発射装置に装着されるマーキングボールにおける被識別剤の各成分の含有率と、そのマーキングボール発射装置に固有の情報とを対応付けた情報が、前記送信先の記憶装置に記憶されていることを特徴とする請求項７または請求項８に記載の識別システム。
【発明の詳細な説明】
【技術分野】
【０００１】
本発明は、銀行強盗等の突発事件が発生した場合に、逃走する犯人や車等を識別するためのマーキングボールを発射させるマーキングボール発射装置に関する。
【背景技術】
【０００２】
従来、例えば、金融機関やコンビニエンスストア等にて強盗等の突発事件が発生した場合、逃走する犯人や車等を識別するためにマーキングボールを用いることがある。マーキングボールはカラーボールとも呼ばれ、一般的に直径数十ｍｍ程度の略球形のカプセル内に着色された油性の溶液が封入されたものであり、このマーキングボールを犯人や車等の識別対象、又はその近傍へ向かって投げつけることでカプセルが破壊して、封入された溶液が識別対象に付着し、追跡の目印となって事後の発見を容易にすることが可能となる。
このように、マーキングボールは識別対象を識別するために有効であり、金融機関やコンビニエンスストアに設置されるのみならず、各種店舗に備えられたり、個人の防犯用グッズとして持ち歩いたり、といったように広く用いられている。
【０００３】
そして、このようなマーキングボールは、金融機関の行員やコンビニエンスストア等の店舗の店員等といったように、各個人が識別対象となる犯人またはその近傍へ手で投げつけるものである。
しかし、強盗等の突発的な事件が発生した状況において、人の手で正確にコントロールして識別対象へ向けて投げつけることは、相当の訓練を積んだ者であっても困難であり、必ずしも効果的なマーキングを行うことができるものではない。
そこで、識別対象やその近傍へのマーキングボールの投擲を、簡単な操作で比較的精度良く行うことができるマーキングボールの発射装置が考案されている（特許文献１参照）。
【特許文献１】特開２０００−３３１２５７号公報
【発明の開示】
【発明が解決しようとする課題】
【０００４】
前述の特許文献１に記載されている発射装置は、圧搾空気の圧力を利用してマーキングボールを発射させるものであるが、空気室と犯人識別弾の収容室とを分断している隔壁を電磁シリンダの作動により破壊して、該空気室と収容室を連通させて、圧搾空気の圧力により犯人識別弾を発射するように構成していたり、空気室への圧搾空気の注入・排出を行うための弁体等が設けられていたりするので、部品点数が多くなって装置が大型するとともに、発射装置を作動させるために電源が必要となるため、発射装置は設置タイプに構成せざるを得ず、携帯に適した形態に構成することは困難であった。
そこで、簡単な構造で小型軽量に構成でき、マーキングボールの高精度な投擲を実現しながら携帯が可能なマーキングボール発射装置、および識別対象の発見、識別を容易に行うことができる識別システムを提供するものである。
【課題を解決するための手段】
【０００５】
上記課題を解決するマーキングボール発射装置および識別システムは、以下の特徴を有する。
即ち、請求項１記載の如く、一端から他端にかけてガス通路が形成される本体部と、圧縮気体が充填されたボンベを収納し、本体の一端側に装着されるガスホルダー部と、マーキングボールが装填され、本体の他端側に装着されるバレル部とを備え、前記本体部には、ガスホルダー内のボンベの開封手段、および該開封手段を操作する操作手段が設けられ、前記本体部のガス通路は、ガスホルダー部とマーキングボールが装填されたバレル部とにより密封されており、操作手段の操作によりボンベが開封されると、ボンベ内の圧縮気体が本体のガス通路内に充満し、充満した圧縮気体の圧力により、バレル部に装填されるマーキングボールがバレル部外部へ発射される。
これにより、簡単な構造で小型軽量に構成でき、マーキングボールの高精度な投擲を実現しながら携帯が可能なマーキングボール発射装置を構成することができる。
【０００６】
また、請求項２記載の如く、前記ガスホルダー部内のボンベの開封部は、本体部のガス通路内に面しており、前記ボンベの開封手段は、本体部のガス通路内に摺動自在に嵌装され、付勢手段によりガスホルダー部側へ付勢されるピストンであって、該ピストンのガスホルダー部側端部には、ガスホルダー部側に突出する尖端を備えた突起部が形成されるとともに、ガス通路におけるピストンよりガスホルダー部側に位置する部分とバレル部側に位置する部分とを連通する連通孔が形成されており、前記操作手段は、ピストンの摺動方向への移動可能状態と移動不能状態とを切り換える操作具であり、操作具の操作によりピストンを摺動不能状態から摺動可能状態へ切り換えると、該ピストンが付勢手段の付勢力によりガスホルダー部側へ移動して、該ピストンの突起部がボンベの開封部を打ち破ってボンベを開封し、開封されたボンベから放出される圧縮気体が、ピストンの連通孔を通じてガス通路のピストンよりガスホルダー部側に位置する部分からバレル部側に位置する部分へ侵入する。
これにより、簡単な操作でボンベを開封してマーキングボールを確実に発射することが可能となり、マーキングボール発射装置の信頼性を高めることができる。
【０００７】
また、請求項３記載の如く、前記バレル部には、複数個のマーキングボールが装填されている。
これにより、識別対象に対する狙いが若干ずれたとしても、何れかのマーキングボールが識別対象に当たり易くなり、マーキングボーの識別対象に対する命中確立を向上させることが可能となる。
【０００８】
また、請求項４載の如く、前記マーキングボール発射装置には通信端末装置が装着可能であり、操作手段を操作してマーキングボールを発射させると、マーキングボールが発射された旨の情報および該マーキングボール発射装置に固有の情報が、装着された通信端末装置から予め設定されている送信先へ送信される。
これにより、送信先にて、マーキングボールがどのマーキングボール発射装置から何時、何処で発射されたのか、といったような事象を特定、把握することができ、マーキングボールが当たった識別対象を識別、拘束するために有益な情報を容易に得ることが可能となる。
【０００９】
また、請求項５載の如く、前記通信端末装置はデータ通信機能を有し、さらに撮像機能、音声記録機能、および位置情報取得機能、の少なくとも一つの機能を有する。
これにより、強盗等の突発事件が発生した現場の状況や現場にいる識別対象を画像や音声で直接捕らえたり、マーキングボールの発射場所を正確に把握したりすることができ、識別対象の識別、拘束を、より容易に行うことが可能となる。
【００１０】
また、請求項６載の如く、マーキングボール内には複数種類の成分を含む被識別剤が充填されており、被識別剤の各成分の含有率が異なる複数のマーキングボールが存在し、マーキングボール発射装置に装着されているマーキングボールにおける被識別剤の各成分の含有率と、そのマーキングボール発射装置に固有の情報とを対応付けた情報が、前記送信先の記憶装置に記憶されている。
これにより、何時、何処で、どのマーキングボール発射装置からマーキングボールが発射されたかを特定することができるとともに、被識別剤が付着した識別対象が現在何処にいるかも容易に把握することができ、識別対象の識別、拘束をさらに確実に行うことが可能となる。
【００１１】
また、請求項７載の如く、識別システムは、請求項１〜４の何れかに記載のマーキングボール発射装置と、マーキングボール発射装置に装着した通信端末装置と、通信端末装置と通信可能なサーバと、サーバと接続されるデータベースとを備え、マーキングボール発射装置がマーキングボールを発射すると、マーキングボールが発射された旨の情報および該マーキングボール発射装置に固有の情報が、通信端末装置から予め設定されている送信先へ送信される。
これにより、送信先にて、マーキングボールがどのマーキングボール発射装置から何時、何処で発射されたのか、といったような事象を特定、把握することができ、マーキングボールが当たった識別対象を識別、拘束するために有益な情報を容易に得ることが可能となる。
【００１２】
また、請求項８載の如く、前記通信端末装置はデータ通信機能を有し、さらに撮像機能、音声記録機能、および位置情報取得機能、の少なくとも一つの機能を有する。
これにより、強盗等の突発事件が発生した現場の状況や現場にいる識別対象を画像や音声で直接捕らえたり、マーキングボールの発射場所を正確に把握したりすることができ、識別対象の識別、拘束を、より容易に行うことが可能となる。
【００１３】
また、請求項９載の如く、マーキングボール内には複数種類の成分を含む被識別剤が充填されており、被識別剤の各成分の含有率が異なる複数のマーキングボールが存在し、マーキングボール発射装置に装着されるマーキングボールにおける被識別剤の各成分の含有率と、そのマーキングボール発射装置に固有の情報とを対応付けた情報が、前記送信先の記憶装置に記憶されている。
これにより、何時、何処で、どのマーキングボール発射装置からマーキングボールが発射されたかを特定することができるとともに、被識別剤が付着した識別対象が現在何処にいるかも容易に把握することができ、識別対象の識別、拘束をさらに確実に行うことが可能となる。
【発明の効果】
【００１４】
本発明によれば、簡単な構造で小型軽量に構成でき、マーキングボールの高精度な投擲を実現しながら携帯が可能なマーキングボール発射装置を構成することができる。
また、簡単な操作でボンベを開封してマーキングボールを確実に発射することが可能となり、マーキングボール発射装置の信頼性を高めることができる。
さらに、何時、何処で、どのマーキングボール発射装置からマーキングボールが発射されたかを特定することができるとともに、被識別剤が付着した識別対象が現在何処にいるかも容易に把握することができ、識別対象の識別、拘束を確実に行うことが可能となる。
【発明を実施するための最良の形態】
【００１５】
次に、本発明を実施するための形態を、添付の図面を用いて説明する。
本発明にかかるマーキングボール発射装置は、金融機関やコンビニエンスストア等の店舗等に備え付けられたり、警備員等に携帯されたりするものであり、強盗等の突発事件が発生した場合に、逃走する犯人や車等を識別するためのマーキングボールを発射するものである。
また、マーキングボールを発射した場合には、発射日時や発射場所等を特定して配信・記録することが可能となっている。
【実施例１】
【００１６】
図１に示すように、マーキングボール発射装置１は、本体部１０と、該本体部１０の一端側に配置されるガスホルダー部２０と、本体部の他端側に配置されるバレル部３０とを備えている。
【００１７】
図２に示すように、本体部１０は、ガス通路１１ａが形成される本体ボディ１１と、該ガス通路１１ａ内に摺動自在に嵌装されるピストン１３と、マーキングボールの発射操作を行うための操作レバー１２とを備えている。
また、本体ボディ１１には、マーキングボール３３を発射する際に、発射目標へ向かって照射するレーザー照準器１５がブラケット１６を介して装着されている。
【００１８】
前記ピストン１３のガスホルダー部２０側端部には、ガスホルダー部２０側に突出する尖端を備えた突起部１３ｂが形成されるとともに、ガス通路１１ａのピストン１３よりもガスホルダー部２０側に位置する部分とバレル部３０側に位置する部分とを連通する連通孔１３ｃが形成されている。
また、ピストン１３は、ピストンスプリング１４によりガスホルダー部２０側へ付勢されている。
【００１９】
操作レバー１２は、支点１２ｂを中心に回動可能であり、支点１２ｂより一側に位置するレバー部１２ａがレバースプリング１７により外側へ付勢されている。操作レバー１２の支点１２ｂより他側に位置する部分には、内側へ突出するストッパピン１２ｄが設けられており、該ストッパピン１２ｄはレバースプリング１７により内側へ付勢されて、ピストン１３の外周部に形成されるストッパ穴１３ｄに嵌合している。
この、ストッパピン１２ｄがストッパ穴１３ｄに嵌合している状態では、ピストン１３はピストンスプリング１４の付勢力に抗してガス通路１１ａの左側部分に位置しており、ストッパピン１２ｄのストッパ穴１３ｄに対する嵌合状態が解除されると、ピストン１３はピストンスプリング１４の付勢力によりガス通路１１ａ内を右向へ移動する。
【００２０】
ガスホルダー部２０は、ホルダー２１に形成されるボンベ収納室２１ａに、炭酸ガス等の圧縮気体が充填されたガスボンベ２２を収納して構成されており、ホルダー２１の一端部に開口するボンベ収納口２１ｂはキャップ２３により閉塞されている。
ガスボンベ２２は着脱可能に収納されており、キャップ２３を取り外した状態で、ボンベ収納口２１ｂからボンベ収納室２１への着脱を行う。
ホルダー２１の他端部は本体ボディ１１に螺装されており、該ホルダー２１の他端部には連通口２１ｃが開口している。
該連通口２１ｃにはガスボンベ２２の開封口２２ａが挿入されており、該開封口２２ａと本体ボディ１１のガス通路１１ａとが連通している。
【００２１】
バレル部３０は、筒状に形成されるバレル３１の基端部（本体ボディ１１側端部）に、複数個のマーキングボール３３が直列に詰められたシェルカートリッジ３２を嵌装して構成されており、本体ボディ１１の他端側に着脱可能に装着されている。
図３に示すように、バレル３１の基端部にはＬ字状のロック孔３１ｂが形成されており、本体ボディ１１の他端部において径方向内側に突出するバレルロックピン１８と該ロック孔３１ｂの装着孔３１ｃとを嵌合させながらバレル３１を本体ボディ１１に挿入した後、バレル３１を本体ボディ１１に対して回転させてバレルロックピン１８とロック孔３１ｂの係合孔３１ｄとを係合させることで、バレル３１を本体ボディ１１に装着している。
【００２２】
マーキングボール３３は、ゼラチン皮質等の弱弾性物質にて略球形に形成された外皮の内部に被識別剤を充填して構成したものであり、充填される被識別剤は、油、水、色素、香料、珪素、セラミックス等を含んでいる。
マーキングボール３３の外皮は薄膜に形成されており、発射されたマーキングボール３３が識別対象に当たった場合には容易に破れて、充填された被識別剤が容易に識別対象に付着することが可能となっている。また、識別対象に当たったときの衝撃は軽微なものとなっている。
【００２３】
このように構成されるマーキングボール発射装置１の作動について説明する。
まず、マーキングボール３３を発射させるための事前準備として、以下の作業を行う。
ストッパピン１２ｄとストッパ穴１３ｄとの嵌合状態が解除されていて、ピストン１３がピストンスプリング１４の付勢力によりガス通路１１ａの右側部分に位置している状態となっているときには、ピストン１３を発射可能状態にセットする。
【００２４】
つまり、図４に示すように、ホルダー２１のキャップ２３を取り外し、ホルダー２１のボンベ収納口２１ｂから棒状部材または管状部材４１を挿入して、該管状部材等４１によりピストン１３を左方向へ押し込む。この場合、操作レバー１２は、レバー部１２ａを押さえてストッパピン１２ｄがガス通路１１ａ内に突出しないようにしておく。ピストン１３を押し込んで、ストッパ穴１３ｄとストッパピン１２ｄとの位置が合うと、レバー部１２ａから手を離してストッパピン１２ｄをストッパ穴１３ｄに嵌合させて、ピストン１３をガス通路１１ａの左側部分に保持させる。
また、管状部材等４１をホルダー２１内に挿入してピストン１３を押し込む場合、単に管状部材等４１を押し込むだけでなく、管状部材等４１の外周部に螺子を切り、この螺子とホルダー２１のキャップ２３を螺装する部分に形成される螺子部とを螺合させて、該管状部材等４１を回転操作することにより、管状部材等４１をピストン１３方向へ進行させるように構成することもできる。
これにより、大きな力を加えることなくピストン１３を発射可能状態にセットすることが可能となる。
【００２５】
また、操作レバー１２に形成される安全ピン挿入孔１２ｃに安全ピン（図示せず）を挿入する。この安全ピンは、安全ピン挿入孔１２ｃに挿入することで、ストッパピン１２ｄがストッパ穴１３ｄと嵌合している状態に操作レバー１２の位置を固定するものであり、不意に操作レバー１２が操作されてピストン１３がホルダー２１側へ移動することを防止するものである。
【００２６】
ピストン１３を発射可能状態にセットして安全ピンにより操作レバー１２を固定した後に、ホルダー２１のボンベ収納室２１ａにガスボンベ２２を挿入し、ボンベ収納口２１ｂにキャップ２３を螺装して閉塞する。
次に、複数個のマーキングボール３３が直列に詰められたシェルカートリッジ３２をバレル３１の基端部に挿入して、シェルカートリッジ３２を挿入したバレル３１を本体ボディ１１の他端側に装着する。
このように、ピストン１３、ガスボンベ２、およびマーキングボール３３がセットされた状態（図２に示す状態）から、前記安全ピンを引き抜くと発射準備が完了する。
【００２７】
次に、事前準備が完了したマーキングボール発射装置１の発射動作について説明する。
まず、ガスホルダー部２０のホルダー２１に貼設されているレーザー照準器１５のスイッチ１５ａを押して、該レーザー照準器１５からレーザー光を発射させ、発射されたレーザー光を目標に向けて照準を合わせる。
照準を合わせながら操作レバー１２のレバー部１２ａを押し下げると、ストッパ穴１３ｄとストッパピン１２ｄとの係合状態が解除される。
ピストン１３は、ピストンスプリング１４によりガスホルダー部２０側へ付勢されているので、ストッパピン１２ｄがストッパ穴１３ｄから抜け出して両者の係合状態が解除されると、ピストン１３は勢い良くガスホルダー部２０側へ移動する。
【００２８】
図５に示すように、ピストン１３がガスホルダー部２０側へ移動すると、該ピストン１３の突起部１３ｂがガスボンベ２２の開封口２２ａに当接して、該開封口２２ａの風板２２ｂを打ち抜き、風板２２ｂが打ち抜かれたガスボンベ２２からは圧縮気体が放出される。放出された圧縮気体は、ピストン１３の連通孔１３ｃを通じて、ピストン１３よりバレル３１側のガス通路１１ａに案内され、該ガス通路１１ａおよびシェルカートリッジ３２に隣接するガスプール１１ｃ内に充満する。
【００２９】
図６に示すように、ガス通路１１ａおよびガスプール１１ｃ内に充満した圧縮気体の圧力により、シェルカートリッジ３２内のマーキングボール３３が推進力を得て押し出される。押し出されるマーキングボール３３はシェルカートリッジ３２から抜け出し、バレル３１内においてさらに加速され、バレル３１開放口３１ａから発射される。
【００３０】
図７に示すように、シェルカートリッジ３２の内径Ｒ１は、マーキングボール３３の直径Ｒ２よりも若干小さく形成されており、マーキングボール３３は弱弾性を有しているため、シェルカートリッジ３２に詰められたマーキングボール３３は若干扁平に歪んだ形状となって、マーキングボール３３とシェルカートリッジ３２とが密着した状態となっている。従って、ガスプール１１ｃ内に充満した圧縮気体がマーキングボール３３とシェルカートリッジ３２との間から漏れ出ることもなく、マーキングボール３３を効率的に発射することが可能となっている。
【００３１】
また、バレル３１の内径Ｒ３はマーキングボール３３の直径Ｒ２よりも大きく形成されており、シェルカートリッジ３２から押し出されたマーキングボール３３は、バレル３１内を通過する間に扁平に歪んだ形状から球形状へ戻ることができるため、発射されたマーキングボール３３の直進性を損なうことがない。
さらに、マーキングボール発射装置１では、特許３０２０７３９号に示すように、発射速度を低下させることなくマーキングボール３３にスライス回転を付与する等して、発射されたマーキングボール３３の射程距離や直進性を高めることができる。
【００３２】
以上のように、マーキングボール発射装置１は、一端から他端にかけてガス通路１１ａが形成される本体ボディ１１を供えた本体部１０と、圧縮気体が充填されたガスボンベ２２を収納するホルダー２１を備え、本体部１０の一端側に装着されるガスホルダー部２０と、マーキングボール３３が装填されたバレルを備え、本体部１０の他端側に装着されるバレル部３０とを備え、前記本体ボディ１１にはガスボンベ２２の開封手段であるピストン１３、および該ピストン１３を操作する操作レバー１２が設けられ、前記本体ボディ１１のガス通路１１ａは、ホルダー２１とマーキングボール３３が装填されたバレル３１とにより密封されており、操作レバー１２の操作によりガスボンベ２２が開封されると、ガスボンベ２２内の圧縮気体が本体ボディ１１のガス通路１１ａ内に充満し、充満した圧縮気体の圧力により、バレル３１に装填されるマーキングボール３３がバレル３１外部へ発射されるように構成されている。
これにより、マーキングボール発射装置１は、簡単な構造で小型軽量に構成でき、マーキングボールの高精度な投擲を実現しながら携帯が可能なマーキングボール発射装置に構成することが可能となっている。
【００３３】
また、マーキングボール発射装置１においては、ガスボンベ２２の開封部である開封口２２ａの風板２２ｂガス通路１１ａ内に面しており、ピストン１３のホルダー２１側端部には、ホルダー２１側に突出する尖端を備えた突起部１３ｂが形成されるとともに、連通孔１３ｃが形成されており、ピストン１３の摺動方向への移動可能状態と移動不能状態とを切り換える操作レバー１２の操作によりピストン１３を摺動不能状態から摺動可能状態へ切り換えると、該ピストン１３がピストンスプリング１４の付勢力によりホルダー２１側へ移動してガスボンベ２２の風板２２ｂを打ち破ってガスボンベ２２を開封し、開封されたガスボンベ２２から放出される圧縮気体が、ピストン１３の連通孔１３ｃを通じてガス通路１１ａのピストン１３よりホルダー２１側に位置する部分からバレル３１側に位置する部分へ侵入するように構成している。
これにより、簡単な操作でガスボンベ２２を開封してマーキングボール３３を確実に発射することが可能となっており、マーキングボール発射装置１の信頼性を高めている。
【００３４】
また、マーキングボール発射装置１のバレル３１には、複数個（本実施例では３個）のマーキングボール３３が装填されており、特にマーキングボール発射装置１から識別対象までの距離が離れている場合には、複数のマーキングボール３３は互いに若干の間隔を空けて飛んでいくこととなるので、識別対象に対する狙いが若干ずれたとしても、何れかのマーキングボール３３が識別対象に当たり易くなり、マーキングボー３３の識別対象に対する命中確立を向上させることが可能となっている。
【００３５】
ここで、図８に示すように、本体ボディ１１には携帯電話端末やＰＨＳ端末等の小型通信端末５１が装着されており、操作レバー１２のレバー部１２ａと本体ボディ１１との間には、小型通信端末５１の発信スイッチ５２が配置されている。
該発信スイッチ５２は、レバー部１２ａを押し下げるとオンするように構成されており、発信スイッチ５２がオンすると小型通信端末５１からの発信がなされる。
【００３６】
このように、小型通信端末５１をマーキングボール発射装置１に装着することで、マーキングボールを識別対象へ発射した場合に、発射日時や発射場所等の各種情報を配信・記録・蓄積等して、マーキングボール３３の被識別剤が付着した識別対象の発見および識別を容易に可能とする識別システムを構成することができる。
【００３７】
つまり、図９に示すように、マーキングボール３３の発射と略同時に、小型通信端末５１から、各マーキングボール発射装置１に固有の識別記号、マーキングボール３３が発射された旨、発射時刻、および発射エリア等に関する情報を通信網Ｎを通じて、予め設定されている送信先であるデータステーション６１のサーバ６２へ向けて発信し、小型通信端末５１から発信された各種情報を受け取ったサーバ６２では、当該情報を適宜処理してデータベース６３に格納し、格納された情報を用いて識別対象の発見、識別を行う識別システムを構成することができる。
【００３８】
この場合、発射時刻情報は、小型通信端末５１またはマーキングボール発射装置１が備える時計機能により取得する。また、発射エリア情報は、小型通信端末５１が例えばＰＨＳである場合には、その小型通信端末５１がどの中継アンテナのカバーエリアに位置しているかを識別することで取得する。小型通信端末５１ＧＰＳ等の位置情報取得機能を備えているときには、マーキングボール３３の発射場所をさらに正確に把握することが可能である。
また、小型通信端末５１が撮像機能を備えている場合には、マーキングボール３３の発射時および発射前後に撮影した現場の画像情報も同時に発信することが可能であり、音声記録機能を備えている場合には、マーキングボール３３の発射時および発射前後に録音した現場の音声情報も同時に発信することが可能である。
さらに、緊急事態が発生した旨のメールの送信や、緊急連絡先への前記各種情報の送信等を行うことも可能である。
【００３９】
また、マーキングボール３３内に充填されている被識別剤は複数種類の成分が含まれているが、被識別剤の構成成分としては、例えば磁気センサの役割を果たすフェライト等の磁性体、明るい場所では蓄光して暗闇で光を発する蓄光塗料、紫外光を発するブラックライト等に反応して光る蛍光塗料、および特定の香りを有する香料等の成分が考えられる。
この特定の香りを有する香料としては、例えば、訓練された犬等の動物には匂いを感じることができるが、人には匂いが感じられないといった特性を備える香料等がある。
【００４０】
これらの被識別剤の構成成分としては、通常人間の五感ではその存在を感じ取ることが難しいが、特定の条件が揃うとその存在を発見、識別することができるものが好ましく、このような成分を用いることでマーキングボール３３にステルス性を備えさせることができる。
つまり、識別対象に被識別剤が付着した場合、例えば昼間の屋外の場所等では識別対象に被識別剤が付着していることを認識することができないが、識別対象が磁気検出器や紫外光発生器の近傍を通過したとき、または暗闇の中に侵入したとき等に被識別剤の付着を認識することができたり、匂いを感じる動物等が反応したりする特性を付与することができるものである。
【００４１】
さらに、マーキングボール３３内に充填されている被識別剤に含まれる複数種類の成分の含有率を、マーキングボール３３毎に変化させることで、マーキングボール発射装置１とマーキングボール３３とを対応付けることが可能となる。
【００４２】
例えば、被識別剤が５種類の異なった成分Ａ・Ｂ・Ｃ・Ｄ・Ｅを含んでいる場合、各成分Ａ・Ｂ・Ｃ・Ｄ・Ｅの含有率をそれぞれ５水準の含有率に異ならせると（成分Ａについては含有率ａ１〜ａ５、成分Ｂについては含有率ｂ１〜ｂ５、成分Ｃについては含有率ｃ１〜ｃ５、成分Ｄについては含有率ｄ１〜ｄ５、成分Ｅについては含有率ｅ１〜ｅ５）、３１２５通り（５（成分）の５（水準）乗＝３１２５）の異なった成分の含有率のマーキングボール３３を構成することができる。例えば、あるマーキングボール３３は被識別剤を構成する成分が「Ａ（ａ１）＋Ｂ（ｂ１）＋Ｃ（ｃ１）＋Ｄ（ｄ１）＋Ｅ（ｅ１）」であり、別のマーキングボール３３では被識別剤を構成する成分が「Ａ（ａ１）＋Ｂ（ｂ２）＋Ｃ（ｃ３）＋Ｄ（ｄ４）＋Ｅ（ｅ５）」となる。なお、ここで、Ｘ（ｘ１）は、成分Ｘの含有率がｘ１であることを意味している。
【００４３】
そして、前記データベース６３には、マーキングボール発射装置１に装着されるマーキングボール３３の構成成分率と、そのマーキングボール発射装置１に付与されている固有の識別記号とが対応付けて記憶されている。
また、各マーキングボール発射装置１がどの場所に設置されまたは誰が携帯しているかの情報がデータベース６３に記憶されている。
さらに、各マーキングボール発射装置１に装填されるマーキングボール３３の成分含有率を、マーキングボール発射装置１の配置場所や地域に応じて異ならせている。
【００４４】
また、磁気検出器や紫外線発生器等といった、マーキングボール３３の被識別剤に含まれる各成分の検出器６５が、電柱や街灯の柱、各種施設・店舗・建物内外、および有料道路の料金所等の、屋内・屋外の適宜箇所に設置され、または警察官、警備員、および防犯担当者等の人物に適宜携帯されており、被識別剤が付着した識別対象がこの検出器６５の近傍を通過すると、検出器６５が各成分を検出できるようになっている。
被識別剤の成分を検出した検出器６５は、成分を検出した旨、および各成分の含有率に関する情報を、通信網Ｎを通じてサーバ６２へ送信する。サーバ６２では、受信した情報に含まれる各成分の含有率と、記憶装置であるデータベース６３に記憶されている被識別剤の各成分の含有率情報とを照合して、各成分の含有率が一致するマーキングボール３３に対応するマーキングボール発射装置１を特定する。
【００４５】
これにより、識別対象に付着している被識別剤が充填されていたマーキングボール３３が、どのマーキングボール発射装置１から発射されたかを特定することができる。
さらに、各マーキングボール発射装置１には、どの場所に設置され、または誰が形態しているかの固有情報が付与されてデータベース６３に記憶されており、マーキングボール３３を発射したマーキングボール発射装置１からは発射した時刻や発射エリア等の情報がサーバ６２に送信されてくるので、何時、何処でマーキングボール３３が発射されたかを特定することができる。
また、成分情報を送信してきた検出器６５の設置場所等に関する情報もデータベース６３に記憶されているので、被識別剤が付着した識別対象が現在何処にいるかを把握することも可能となっている。
【００４６】
マーキングボール発射装置１や検出器６５から送信されてきた情報や、これらの情報をサーバ６２にて処理して得られたマーキングボール３３が何時、何処で発射されたかの情報、および被識別剤が付着した識別対象が現在何処にいるかといった情報等は、警察や警備会社等の機関６６に送信される。
これらの情報を受け取った機関６６は、この情報を参考にして迅速且つ確実に識別対象を発見、識別して、拘束、検挙することが可能となり、防犯抑止効果を大幅に向上させることができる。
【００４７】
上述のごとく、マーキングボール発射装置１には小型通信端末５１が装着されており、操作レバー１２を操作してマーキングボール３３を発射させると発信スイッチ５２がオンして、マーキングボール３３が発射された旨の情報および該マーキングボール発射装置１に固有の情報（例えばマーキングボール発射装置１毎に付与されるシリアルナンバーや、発射時刻や、発射装置の配置場所等の情報）が、装着された小型通信端末５１から、予め設定されている送信先であるデータステーション６１のサーバ６２へ送信されるように構成している。
これにより、データステーション６１にて、マーキングボール３３がどのマーキングボール発射装置１から何時、何処で発射されたのか、といったような事象を特定、把握することができ、マーキングボール３３が当たった識別対象を識別、拘束するために有益な情報を容易に得ることが可能となっている。
【００４８】
また、小型通信端末５１はデータ通信機能を有しており、さらに撮像機能、音声記録機能、および位置情報取得機能を有するものである場合は、強盗等の突発事件が発生した現場の状況や現場にいる識別対象を画像や音声で直接捕らえたり、マーキングボール３３の発射場所を正確に把握したりすることができ、識別対象の識別、拘束を、より容易に行うことが可能となる。
【００４９】
また、マーキングボール３３内には複数種類の成分を含む被識別剤が充填されており、被識別剤の各成分の含有率が異なる複数のマーキングボール３３が存在し、マーキングボール発射装置１に装着されているマーキングボール３３における被識別剤の各成分の含有率と、そのマーキングボール発射装置１に固有の情報とを対応付けた情報が、前記データベース６３に記憶されているので、何時、何処で、どのマーキングボール発射装置１からマーキングボール３３が発射されたかを特定することができるとともに、被識別剤が付着した識別対象が現在何処にいるかも容易に把握することができ、識別対象の識別、拘束をさらに確実に行うことが可能となっている。
【００５０】
また、図１０に示すように、マーキングボール発射装置１は、本体部１０の本体ボディ１１を途中で屈曲して「く」字状に曲げた形状とすることもできる。この場合、マーキングボール発射装置１は、モデルガンのように、ガスホルダー部２０を握って人指し指等を操作レバー１２にかけながら体の正面で構え易くなり、識別対象を狙い易くなる。
【実施例２】
【００５１】
次に、実施例２の構成について説明する。
図１１は他の実施例である発射装置の斜視図。
図１２は同じく正面図。
図１３は同じく後面図。
図１４は同じく側面図。
この実施例に示す発射装置１００は、ボディ１０１に装着されたレーザポインタ１４０により、狙いを定め、トリガー１１０を押すことにより、射出口１３０よりマーキングボールを射出する。マーキングボールの射出はガス圧を利用し、キャップ１２０を開き装着されるガスボンベより供給される。
ボディ１０１は樹脂により構成されており、正面視において縦長形状であって、側面視において横長の略長方形状に構成されている。ボディ１０１の中央下部および前上部には、側面視において、弧状のくぼみが形成されている。そして、側面の前部中央に凹部を設けており、この凹部にレーザポインタ１４０を装着可能に構成している。また、ボディ１０１配設側側面が盛り上がった形状となっている。
射出口１３０はボディ１０１の下部において長手方向に沿って設けられており、レーザポインタ１４０のレーザー光照射方向に向けられている。射出口１３０の上方にはキャップ１２０が配設され、キャップ１２０の内側にガスボンベが配設される。下部に設けられた射出口１３０と上部に設けられたキャップ１２０の間には、レーザポインタ１４０が配設されており、ボディ１０１において、射出口１３０とガスボンベ装着部とレーザポインタ配設部とが、前部に集約された構成となっている。そして、ボディ１０１の後上部にトリガー１１０が配設されている。
ボディ１０１の後部には、マーキングボールを収納するカートリッジ１５２およびガスボンベを開封するためのピストンが配設されている。カートリッジ収納部はカートリッジキャップ１５０により閉じられている。
ボディ１０１のトリガー配設部の近傍には、安全ピン挿入孔１０１ｓが設けられており、この安全ピン挿入孔１０１ｓに安全ピンを挿入することにより、トリガー１１０が固定されマーキングボールの誤発射が防止される。
【００５２】
次に発射装置の内部構成について説明する。
図１５は発射装置の斜視一部断面図。
図１６は同じく側面断面図。
図１７はボディへの組み付け構成を示す図。
図１８は発射過程を示す図。
発射過程は図１８（ａ）、図１８（ｂ）、図１８（ｃ）の順に進む。発射装置１００は、図１８（ａ）のようにトリガー１１０が押され、図１８（ｂ）に示すようにピストン１１１が開放され、図１８（ｃ）に示すようにガスボンベ１２１が開封されて、カートリッジ１５２内のマーキングボール３３が発射される構成となっている。
発射装置１００を構成するボディ１０１の内部構成について説明する。
ボディ１０１の前上部には、ガスボンベ１２１を配設するボンベ収納部１０２が設けられており、ボディ１０１の上部中央部から後部にかけて、ピストン１１１を配設するためのピストン室１０３が設けられている。
ボンベ収納部１０２とピストン室１０３とは、連通孔１０２ｂにより連通しており、この連通孔１０２ｂにガスボンベ１２１の先端部を挿入した状態で、キャップ１２０によりボンベ収納部１０２を閉じて、ボンベ１２１をボンベ収納部１０２内に固定する。これにより、ガスボンベ１２１の先端部がピストン室１０３に向けて配設され、ピストン１１１によりガスボンベ１２１を開封可能となる。
ピストン１１１は、バネ１１２の弾性力によりガスボンベ１２１に向けて押し出されるものであり、ピストン１１１の内側にバネ１１２が装着される構成となっている。バネ１１２の前端はピストン１１１に挿入されており、後端はキャップ１６０に当接している。
マーキングボール３３を発射する前には、ピストン１１１はトリガー１１０に接続する係止ピン１１０ｇに係止されており、バネ１１２がピストン１１１とキャップ１６０との間において圧縮された状態で保持される。
そして、トリガー１１０により係止ピン１１０ｇを操作して、ピストン１１１の係止を解除することにより、ピストン１１１がバネ１１２の弾性力により前方に押し出されガスボンベ１２１に衝突する。トリガー１１０の前部とボディ１０１との間にはバネ１１０ｂが配設されており、トリガー１１０の前部を上方に付勢している。
トリガー１１０の下部には左右方向に支軸１１０ｄが装着されており、安全ピン孔１１０ｃが設けられている。支軸１１０ｄはトリガー１１０を傾動可能に支持する構成となっている。そして、安全ピン孔１１０ｃには安全ピンが挿入され、誤発射を防止する。ボディ１０１の安全ピン挿入孔１０１ｓに挿入された安全ピンはトリガー１１０の安全ピン孔１１０ｃに挿入され、トリガー１１０がボディ１０１に固定される。これにより発射装置１００の誤発射を防止する構成となっている。
【００５３】
ピストン室１０３はガス供給孔１０４を介してカートリッジ装着部１０５と連通している。カートリッジ装着部１０５はボディ１０１の後下部に設けられており、射出口１３０の延長上に位置する。カートリッジ１５２は、マーキングボール３３を複数個保持する。カートリッジ１５２は筒状に構成されており、内側にマーキングボール３３を複数個保持する。カートリッジ１５２の後端部には、前および中央部よりも大径に構成された大径部１５２ｂが設けられており、この大径部１５２ｂがカートリッジ装着部１０５の当接面１０５ｂに当接して、カートリッジ１５２の位置決めが行われる。
そして、カートリッジ１５２とカートリッジキャップ１５０との間にはスペーサ１５３が配設される。スペーサ１５３はカートリッジキャップ１５０と一体的に構成されるので、カートリッジ１５２の位置決めを容易に行うことができる。
そして、ホルダー１５２とキャップ１５１との間には開口が設けられているので、ガスボンベ１２１からのガス圧がカートリッジ１５２の後部にかかり、マーキングボール３３を射出することができる。
【００５４】
このように、発射装置１００は、射出口１３０の配設方向に沿って、ガスボンベ１２１および開封手段であるピストン１１１、そしてカートリッジ１５２を配設するとともに、ガスボンベ１２１およびピストン１１１を射出口１３０およびカートリッジ１５２に対してオフセットした位置に配設している。さらに、ガスの噴出経路は、ボディ１０１において前方から後方に向かい、ボディ１０１後部において折り返し、再び前方へと噴出し、射出口１３０よりマーキングボール３３を打ち出す。ボディ１０１内においてガスの噴出経路を折り返すことにより、発射装置１００をコンパクトに構成できる。
【００５５】
次に、実施例２におけるピストンの構成について説明する。
まず、第１例のピストン構成について説明する。
図１９は実施例２における第１例のピストン構成を示す斜視図。
図２０は同じく側面図および正面図。図２０（ａ）は側面図、図２０（ｂ）は正面図。
ピストン１１１には、突起部１７１、開口部１７０、係合部１７２が構成されている。
突起部１７１はピストン１１１の前部において先端部を前方に向けて配設される。第１例において、突起部１７１は四角錐形状をピストン１１１の正面に取付けた形状となっている。
このように、ピストン１１１の先端部である突起部１７１を多角形状で鋭角に構成するので、炭酸ガスが封入されているガスボンベ１２１の開封蓋を切り込むように開封することができる。突起部１７１の角部が開封蓋を上下左右に切り込むので、容易に開封することができる。そして、突起部１７１の耐久性を向上でき、ガスボンベ１２１の開封蓋を大きく開口させることができる。開口を大きくすることにより、ガス放出量を大きくし、マーキングボール３３の発射速度を増大し、飛距離、有効射程距離、威力などを向上できる。また、発射装置１００が小型であっても十分な飛距離および有効射程距離を得ることが出来る。
【００５６】
そして、ピストン１１１の正面および前部側面には、開口部１７０が設けられており、ピストン１１１の外側と内側とを連通する構成となっている。そして、ピストン１１１の中央部には周に添って窪んだ小径部である係合部１７２が構成されている。係合部１７２はトリガー１１０に接続した係止ピン１１０ｇと係合して、ピストン１１１を係止する部位となっている。
【００５７】
係止部１７２の後方には後方に向いた傾斜部１７３が構成されている。傾斜部１７３は後方に向けて径が小さくなるように構成されており、これにより、ピストン１１１をセットするときに円滑に係止ピン１１０ｇとの係合を行う構成となっている。
係止ピン１１０ｇとの係合がはずれた状態から、ピストン１１１を後方に押し込むと、トリガー１１０の係止ピン１１０ｇが傾斜部１７３に添って押し上げられる。そしてさらに、ピストン１１１を押し込むことにより、係止ピン１１０ｇが係合部１７２に嵌合し、ピストン１１１が係止される。このように、ピストン１１１を後方に押し込むことにより、自動的に係止ピン１１０ｇが押し上げられ、容易にピストン１１１を係止状態とすることができる。
【００５８】
次に、第２例のピストン構成について説明する。
図２１は第２例のピストン構成を示す斜視図。
図２２は同じく側面図および正面図。図２２（ａ）は側面図、図２２（ｂ）は正面図。
ピストン１１１には、突起部１７１ｂ、開口部１７０、係合部１７２が構成されている。
突起部１７１ｂはピストン１１１の前部において先端部を前方に向けて配設される。第２例において、突起部１７１ｂは略四角錐形状をピストン１１１の正面に取付けた形状となっており、側面がえぐれた形状となっており、側面が弧状にくぼみ、先端に向かうほど鋭角に構成されている。
このように、ピストン１１１の先端部である突起部１７１ｂを多角形状で先端側を鋭角に構成するので、ガスボンベ１２１の開封蓋を切り込むように開封することができ、ピストン１１１の耐久性を向上できる。
【００５９】
次に、第３例のピストン構成について説明する。
図２３は第２例のピストン構成を示す斜視図。
図２４は同じく側面図および正面図。図２４（ａ）は側面図、図２４（ｂ）は正面図。
ピストン１１１には、突起部１７１ｃ、開口部１７０、係合部１７２が構成されている。
突起部１７１ｃはピストン１１１の前部において先端部を前方に向けて配設される。第３例において、突起部１７１ｃは略四角錐形状をピストン１１１の正面に取付けた形状となっており、側面中央に切化基部１７１ｄを設けている。切欠き部１７１ｄは突起部１７１ｃの各側面に設けられる。
このように、切化基部１７１ｄを設けているので、ガスボンベ１２１の開封蓋が突起部１７１ｃの側面から受ける面圧が大きくなり、開封時において切欠き部１７１ｄがガスの噴出経路となり、開封が円滑に行われるとともに、ガスボンベ１２１の開封蓋がより切り込むように開封されることとなる。これにより、開封蓋を容易にあけることができ、ピストン１１１の耐久性を向上できる。
【００６０】
次に、発射装置１００の把持構成について説明する。
図２５は発射装置の把持例を示す図。
図２５に示す発射装置１００は、右利き用のものであり、発射装置１００の膨らんだ側面を掌に向けて把持される。これにより、親指をトリガー１１０の上に位置させ、マーキングボール射出方向に人差し指を伸ばすと自然にレーザポインタ１４０に添えられるようになっている。これにより自然な動作で発射装置１００を操作することができる。
【００６１】
また、発射装置１００には、Ｂｌｕｅｔｏｏｔｈ（登録商標）やＨｏｍｅＲＦ（登録商標）などの無線通信技術に対応した近距離無線端末を装着することができる。このような端末を利用して、携帯電話などの通信網に接続する端末にマーキングボール３３の発射情報を送信することができる。トリガー１１０とボディ１０１との間に、近距離無線端末の発信スイッチを配置し、トリガー１１０を押すとオンとなりマーキングボール３３の発射情報を携帯電話に送信する。
このように、近距離無線端末を発射装置１００に装着することで、マーキングボールを識別対象へ発射した場合に、発射日時や発射場所等の各種情報を配信・記録・蓄積等して、マーキングボール３３の被識別剤が付着した識別対象の発見および識別を容易に可能とする識別システムを構成することができる。
また、近距離無線端末を利用するので、マーキングボール３３の発射情報の暗号化および改ざん防止などのセキュリティー性を向上できる。
【図面の簡単な説明】
【００６２】
【図１】本発明にかかるマーキングボール発射装置を示す側面図である。
【図２】マーキングボール発射装置を示す側面断面図である。
【図３】バレルの本体ボディへの接続部を示す側面図である。
【図４】ピストンを発射可能状態にセットする様子を示す側面断面図である。
【図５】操作レバーが操作されピストンによりガスボンベが開封された様子を示す側面断面図である。
【図６】ガスボンベから放出された圧縮気体の圧力によりマーキングボールが発射される様子を示す側面断面図である。
【図７】シェルカートリッジの内径、マーキングボールの直径、およびバレルの内径の関係を示す側面断面図である。
【図８】小型携帯端末が装着されたマーキングボール発射装置を示す側面図である。
【図９】識別システムを示す概要図である。
【図１０】マーキングボール発射装置の第二の実施形態を示す側面図である。
【図１１】他の実施例である発射装置の斜視図。
【図１２】同じく正面図。
【図１３】同じく後面図。
【図１４】同じく側面図。
【図１５】発射装置の斜視一部断面図。
【図１６】同じく側面断面図。
【図１７】ボディへの組み付け構成を示す図。
【図１８】発射過程を示す図。
【図１９】実施例２における第１例のピストン構成を示す斜視図。
【図２０】同じく側面図および正面図。
【図２１】第２例のピストン構成を示す斜視図。
【図２２】同じく側面図および正面図。
【図２３】第２例のピストン構成を示す斜視図。
【図２４】同じく側面図および正面図。
【図２５】発射装置の把持例を示す図。
【符号の説明】
【００６３】
１  マーキングボール発射装置
１０  本体部
１１  本体ボディ
１１ａ  ガス通路
１２  操作レバー
１３  ピストン
２０  ガスホルダー部
２１  ホルダー
２２  ガスボンベ
３０  バレル部
３１  バレル
３２  シェルカートリッジ
３３  マーキングボール
６２  サーバ
６３  データベース
【図２】
2006038445.tif 000003
【図３】
2006038445.tif 000004
【図４】
2006038445.tif 000005
【図５】
2006038445.tif 000006
【図６】
2006038445.tif 000007
【図７】
2006038445.tif 000008
【図９】
2006038445.tif 000009
【図１１】
2006038445.tif 000010
【図１２】
2006038445.tif 000011
【図１３】
2006038445.tif 000012
【図１４】
2006038445.tif 000013
【図１５】
2006038445.tif 000014
【図１６】
2006038445.tif 000015
【図１７】
2006038445.tif 000016
【図１８】
2006038445.tif 000017
【図１９】
2006038445.tif 000018
【図２０】
2006038445.tif 000019
【図２１】
2006038445.tif 000020
【図２２】
2006038445.tif 000021
【図２３】
2006038445.tif 000022
【図２４】
2006038445.tif 000023
【図２５】
2006038445.tif 000024
【図１】
2006038445.tif 000025
【図８】
2006038445.tif 000026
【図１０】
2006038445.tif 000027
【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
ボディ内にガスボンベを装着可能とし、バネの弾性力によりガスボンベに向けて押し出すように配置したピストンをトリガーにて操作してガスボンベを開封し、このガス圧にてマーキングボールを発射する構成としたマーキングボール発射装置において、前記ボディにボンベ収納部とピストン室とカートリッジ装着部と射出口とを形成し、前記ボンベ収納部・ピストン室と前記カートリッジ装着部・射出口とを並列に配置し、前記ボンベ収納部にガスボンベを装着し、前記ピストン室にピストンとバネを配設し、前記カートリッジ装着部に複数個のマーキングボールを保持したカートリッジを装着する構成とし、前記ピストン室とカートリッジ装着部とをガス供給部を介して連通し、前記ガスボンベ内のガスの噴出経路をピストン室からカートリッジ装着部とし、前記射出口から複数個のマーキングボールをガス噴出方向とは異なる方向に発射可能に構成したことを特徴とするマーキングボール発射装置。
【請求項２】
前記マーキングボール発射装置には通信端末装置が装着可能であり、トリガーを操作してマーキングボールを発射させると、マーキングボールが発射された旨の情報および該マーキングボール発射装置に固有の情報が、装着された通信端末装置から予め設定されている送信先へ送信されることを特徴とする請求項１記載のマーキングボール発射装置。
【請求項３】
前記通信端末装置はデータ通信機能を有し、さらに撮像機能、音声記録機能、および位置情報取得機能、の少なくとも一つの機能を有することを特徴とする請求項２記載のマーキングボール発射装置。
【請求項４】
前記マーキングボール内には複数種類の成分を含む被識別剤が充填されており、被識別剤の各成分の含有率が異なる複数のマーキングボールが存在し、マーキングボール発射装置に装着されているマーキングボールにおける被識別剤の各成分の含有率と、そのマーキングボール発射装置に固有の情報とを対応付けた情報が、前記送信先の記憶装置に記憶されていることを特徴とする請求項２または請求項３記載のマーキングボール発射装置。
【手続補正２】
【補正対象書類名】明細書
【補正対象項目名】全文
【補正方法】変更
【補正の内容】
【発明の詳細な説明】
【技術分野】
【０００１】
本発明は、銀行強盗等の突発事件が発生した場合に、逃走する犯人や車等を識別するためのマーキングボールを発射させるマーキングボール発射装置に関する。
【背景技術】
【０００２】
従来、例えば、金融機関やコンビニエンスストア等にて強盗等の突発事件が発生した場合、逃走する犯人や車等を識別するためにマーキングボールを用いることがある。マーキングボールはカラーボールとも呼ばれ、一般的に直径数十ｍｍ程度の略球形のカプセル内に着色された油性の溶液が封入されたものであり、このマーキングボールを犯人や車等の識別対象、又はその近傍へ向かって投げつけることでカプセルが破壊して、封入された溶液が識別対象に付着し、追跡の目印となって事後の発見を容易にすることが可能となる。このように、マーキングボールは識別対象を識別するために有効であり、金融機関やコンビニエンスストアに設置されるのみならず、各種店舗に備えられたり、個人の防犯用グッズとして持ち歩いたり、といったように広く用いられている。
【０００３】
そして、このようなマーキングボールは、金融機関の行員やコンビニエンスストア等の店舗の店員等といったように、各個人が識別対象となる犯人またはその近傍へ手で投げつけるものである。
しかし、強盗等の突発的な事件が発生した状況において、人の手で正確にコントロールして識別対象へ向けて投げつけることは、相当の訓練を積んだ者であっても困難であり、必ずしも効果的なマーキングを行うことができるものではない。
そこで、識別対象やその近傍へのマーキングボールの投擲を、簡単な操作で比較的精度良く行うことができるマーキングボールの発射装置が考案されている（特許文献１参照）。
【特許文献１】特開２０００−３３１２５７号公報
【発明の開示】
【発明が解決しようとする課題】
【０００４】
前述の特許文献１に記載されている発射装置は、圧搾空気の圧力を利用してマーキングボールを発射させるものであるが、空気室と犯人識別弾の収容室とを分断している隔壁を電磁シリンダの作動により破壊して、該空気室と収容室を連通させて、圧搾空気の圧力により犯人識別弾を発射するように構成していたり、空気室への圧搾空気の注入・排出を行うための弁体等が設けられていたりするので、部品点数が多くなって装置が大型するとともに、発射装置を作動させるために電源が必要となるため、発射装置は設置タイプに構成せざるを得ず、携帯に適した形態に構成することは困難であった。
そこで、簡単な構造で小型軽量に構成でき、マーキングボールの高精度な投擲を実現しながら携帯が可能なマーキングボール発射装置、および識別対象の発見、識別を容易に行うことができる識別システムを提供するものである。
【課題を解決するための手段】
【０００５】
上記課題を解決するマーキングボール発射装置および識別システムは、以下の特徴を有する。
即ち、請求項１記載の如く、ボディ（１０１）内にガスボンベ（１２１）を装着可能とし、バネ（１１２）の弾性力によりガスボンベ（１２１）に向けて押し出すように配置したピストン（１１１）をトリガー（１１０）にて操作してガスボンベ（１２１）を開封し、このガス圧にてマーキングボール（３３）を発射する構成としたマーキングボール発射装置において、前記ボディ（１０１）にボンベ収納部（１０２）とピストン室（１０３）とカートリッジ装着部（１０５）と射出口（１３０）とを形成し、前記ボンベ収納部（１０２）、ピストン室（１０３）と前記カートリッジ装着部（１０５）、射出口（１３０）とを並列に配置し、前記ボンベ収納部（１０２）にガスボンベ（１２１）を装着し、前記ピストン室（１０３）にピストン（１１１）とバネ（１１２）を配設し、前記カートリッジ装着部（１０５）に複数個のマーキングボール（３３・３３・・・）を保持したカートリッジ（１５２）を装着する構成とし、前記ピストン室（１０３）とカートリッジ装着部（１０５）とをガス供給部（１０４）を介して連通し、前記ガスボンベ（１２１）内のガスの噴出経路をピストン室（１０３）からカートリッジ装着部（１０５）とし、前記射出口（１３０）から複数個のマーキングボール（３３・３３・・・）をガスボンベ（１２１）からのガス噴出方向とは異なる方向に発射可能に構成したものである。
これにより、簡単な構造で小型軽量に構成でき、マーキングボールの高精度な投擲を実現しながら携帯が可能なマーキングボール発射装置を構成することができる。
また、簡単な操作でボンベを開封してマーキングボールを確実に発射することが可能となり、マーキングボール発射装置の信頼性を高めることができる。
さらに、識別対象に対する狙いが若干ずれたとしても、何れかのマーキングボールが識別対象に当たり易くなり、マーキングボールの識別対象に対する命中確立を向上させることが可能となる。
【０００６】
また、請求項２記載の如く、前記マーキングボール発射装置には通信端末装置が装着可能であり、トリガーを操作してマーキングボールを発射させると、マーキングボールが発射された旨の情報および該マーキングボール発射装置に固有の情報が、装着された通信端末装置から予め設定されている送信先へ送信されるものである。
これにより、送信先にて、マーキングボールがどのマーキングボール発射装置から何時、何処で発射されたのか、といったような事象を特定、把握することができ、マーキングボールが当たった識別対象を識別、拘束するために有益な情報を容易に得ることが可能となる。
【０００７】
また、請求項３記載の如く、前記通信端末装置はデータ通信機能を有し、さらに撮像機能、音声記録機能、および位置情報取得機能、の少なくとも一つの機能を有するものである。
これにより、強盗等の突発事件が発生した現場の状況や現場にいる識別対象を画像や音声で直接捕らえたり、マーキングボールの発射場所を正確に把握したりすることができ、識別対象の識別、拘束を、より容易に行うことが可能となる。
【０００８】
また、請求項４載の如く、前記マーキングボール内には複数種類の成分を含む被識別剤が充填されており、被識別剤の各成分の含有率が異なる複数のマーキングボールが存在し、マーキングボール発射装置に装着されているマーキングボールにおける被識別剤の各成分の含有率と、そのマーキングボール発射装置に固有の情報とを対応付けた情報が、前記送信先の記憶装置に記憶されているものである。
これにより、何時、何処で、どのマーキングボール発射装置からマーキングボールが発射されたかを特定することができるとともに、被識別剤が付着した識別対象が現在何処にいるかも容易に把握することができ、識別対象の識別、拘束をさらに確実に行うことが可能となる。
【発明の効果】
【０００９】
本発明によれば、簡単な構造で小型軽量に構成でき、マーキングボールの高精度な投擲を実現しながら携帯が可能なマーキングボール発射装置を構成することができる。
また、簡単な操作でボンベを開封してマーキングボールを確実に発射することが可能となり、マーキングボール発射装置の信頼性を高めることができる。
さらに、何時、何処で、どのマーキングボール発射装置からマーキングボールが発射されたかを特定することができるとともに、被識別剤が付着した識別対象が現在何処にいるかも容易に把握することができ、識別対象の識別、拘束を確実に行うことが可能となる。
【発明を実施するための最良の形態】
【００１０】
次に、本発明を実施するための形態を、添付の図面を用いて説明する。
本発明にかかるマーキングボール発射装置は、金融機関やコンビニエンスストア等の店舗等に備え付けられたり、警備員等に携帯されたりするものであり、強盗等の突発事件が発生した場合に、逃走する犯人や車等を識別するためのマーキングボールを発射するものである。
また、マーキングボールを発射した場合には、発射日時や発射場所等を特定して配信・記録することが可能となっている。
【実施例１】
【００１１】
図１に示すように、マーキングボール発射装置１は、本体部１０と、該本体部１０の一端側に配置されるガスホルダー部２０と、本体部の他端側に配置されるバレル部３０とを備えている。
【００１２】
図２に示すように、本体部１０は、ガス通路１１ａが形成される本体ボディ１１と、該ガス通路１１ａ内に摺動自在に嵌装されるピストン１３と、マーキングボールの発射操作を行うための操作レバー１２とを備えている。
また、本体ボディ１１には、マーキングボール３３を発射する際に、発射目標へ向かって照射するレーザー照準器１５がブラケット１６を介して装着されている。
【００１３】
前記ピストン１３のガスホルダー部２０側端部には、ガスホルダー部２０側に突出する尖端を備えた突起部１３ｂが形成されるとともに、ガス通路１１ａのピストン１３よりもガスホルダー部２０側に位置する部分とバレル部３０側に位置する部分とを連通する連通孔１３ｃが形成されている。
また、ピストン１３は、ピストンスプリング１４によりガスホルダー部２０側へ付勢されている。
【００１４】
操作レバー１２は、支点１２ｂを中心に回動可能であり、支点１２ｂより一側に位置するレバー部１２ａがレバースプリング１７により外側へ付勢されている。操作レバー１２の支点１２ｂより他側に位置する部分には、内側へ突出するストッパピン１２ｄが設けられており、該ストッパピン１２ｄはレバースプリング１７により内側へ付勢されて、ピストン１３の外周部に形成されるストッパ穴１３ｄに嵌合している。
この、ストッパピン１２ｄがストッパ穴１３ｄに嵌合している状態では、ピストン１３はピストンスプリング１４の付勢力に抗してガス通路１１ａの左側部分に位置しており、ストッパピン１２ｄのストッパ穴１３ｄに対する嵌合状態が解除されると、ピストン１３はピストンスプリング１４の付勢力によりガス通路１１ａ内を右向へ移動する。
【００１５】
ガスホルダー部２０は、ホルダー２１に形成されるボンベ収納室２１ａに、炭酸ガス等の圧縮気体が充填されたガスボンベ２２を収納して構成されており、ホルダー２１の一端部に開口するボンベ収納口２１ｂはキャップ２３により閉塞されている。
ガスボンベ２２は着脱可能に収納されており、キャップ２３を取り外した状態で、ボンベ収納口２１ｂからボンベ収納室２１への着脱を行う。
ホルダー２１の他端部は本体ボディ１１に螺装されており、該ホルダー２１の他端部には連通口２１ｃが開口している。
該連通口２１ｃにはガスボンベ２２の開封口２２ａが挿入されており、該開封口２２ａと本体ボディ１１のガス通路１１ａとが連通している。
【００１６】
バレル部３０は、筒状に形成されるバレル３１の基端部（本体ボディ１１側端部）に、複数個のマーキングボール３３が直列に詰められたシェルカートリッジ３２を嵌装して構成されており、本体ボディ１１の他端側に着脱可能に装着されている。
図３に示すように、バレル３１の基端部にはＬ字状のロック孔３１ｂが形成されており、本体ボディ１１の他端部において径方向内側に突出するバレルロックピン１８と該ロック孔３１ｂの装着孔３１ｃとを嵌合させながらバレル３１を本体ボディ１１に挿入した後、バレル３１を本体ボディ１１に対して回転させてバレルロックピン１８とロック孔３１ｂの係合孔３１ｄとを係合させることで、バレル３１を本体ボディ１１に装着している。
【００１７】
マーキングボール３３は、ゼラチン皮質等の弱弾性物質にて略球形に形成された外皮の内部に被識別剤を充填して構成したものであり、充填される被識別剤は、油、水、色素、香料、珪素、セラミックス等を含んでいる。
マーキングボール３３の外皮は薄膜に形成されており、発射されたマーキングボール３３が識別対象に当たった場合には容易に破れて、充填された被識別剤が容易に識別対象に付着することが可能となっている。また、識別対象に当たったときの衝撃は軽微なものとなっている。
【００１８】
このように構成されるマーキングボール発射装置１の作動について説明する。
まず、マーキングボール３３を発射させるための事前準備として、以下の作業を行う。  ストッパピン１２ｄとストッパ穴１３ｄとの嵌合状態が解除されていて、ピストン１３がピストンスプリング１４の付勢力によりガス通路１１ａの右側部分に位置している状態となっているときには、ピストン１３を発射可能状態にセットする。
【００１９】
つまり、図４に示すように、ホルダー２１のキャップ２３を取り外し、ホルダー２１のボンベ収納口２１ｂから棒状部材または管状部材４１を挿入して、該管状部材等４１によりピストン１３を左方向へ押し込む。この場合、操作レバー１２は、レバー部１２ａを押さえてストッパピン１２ｄがガス通路１１ａ内に突出しないようにしておく。ピストン１３を押し込んで、ストッパ穴１３ｄとストッパピン１２ｄとの位置が合うと、レバー部１２ａから手を離してストッパピン１２ｄをストッパ穴１３ｄに嵌合させて、ピストン１３をガス通路１１ａの左側部分に保持させる。
また、管状部材等４１をホルダー２１内に挿入してピストン１３を押し込む場合、単に管状部材等４１を押し込むだけでなく、管状部材等４１の外周部に螺子を切り、この螺子とホルダー２１のキャップ２３を螺装する部分に形成される螺子部とを螺合させて、該管状部材等４１を回転操作することにより、管状部材等４１をピストン１３方向へ進行させるように構成することもできる。
これにより、大きな力を加えることなくピストン１３を発射可能状態にセットすることが可能となる。
【００２０】
また、操作レバー１２に形成される安全ピン挿入孔１２ｃに安全ピン（図示せず）を挿入する。この安全ピンは、安全ピン挿入孔１２ｃに挿入することで、ストッパピン１２ｄがストッパ穴１３ｄと嵌合している状態に操作レバー１２の位置を固定するものであり、不意に操作レバー１２が操作されてピストン１３がホルダー２１側へ移動することを防止するものである。
【００２１】
ピストン１３を発射可能状態にセットして安全ピンにより操作レバー１２を固定した後に、ホルダー２１のボンベ収納室２１ａにガスボンベ２２を挿入し、ボンベ収納口２１ｂにキャップ２３を螺装して閉塞する。
次に、複数個のマーキングボール３３が直列に詰められたシェルカートリッジ３２をバレル３１の基端部に挿入して、シェルカートリッジ３２を挿入したバレル３１を本体ボディ１１の他端側に装着する。
このように、ピストン１３、ガスボンベ２、およびマーキングボール３３がセットされた状態（図２に示す状態）から、前記安全ピンを引き抜くと発射準備が完了する。
【００２２】
次に、事前準備が完了したマーキングボール発射装置１の発射動作について説明する。  まず、ガスホルダー部２０のホルダー２１に貼設されているレーザー照準器１５のスイッチ１５ａを押して、該レーザー照準器１５からレーザー光を発射させ、発射されたレーザー光を目標に向けて照準を合わせる。
照準を合わせながら操作レバー１２のレバー部１２ａを押し下げると、ストッパ穴１３ｄとストッパピン１２ｄとの係合状態が解除される。
ピストン１３は、ピストンスプリング１４によりガスホルダー部２０側へ付勢されているので、ストッパピン１２ｄがストッパ穴１３ｄから抜け出して両者の係合状態が解除されると、ピストン１３は勢い良くガスホルダー部２０側へ移動する。
【００２３】
図５に示すように、ピストン１３がガスホルダー部２０側へ移動すると、該ピストン１３の突起部１３ｂがガスボンベ２２の開封口２２ａに当接して、該開封口２２ａの風板２２ｂを打ち抜き、風板２２ｂが打ち抜かれたガスボンベ２２からは圧縮気体が放出される。放出された圧縮気体は、ピストン１３の連通孔１３ｃを通じて、ピストン１３よりバレル３１側のガス通路１１ａに案内され、該ガス通路１１ａおよびシェルカートリッジ３２に隣接するガスプール１１ｃ内に充満する。
【００２４】
図６に示すように、ガス通路１１ａおよびガスプール１１ｃ内に充満した圧縮気体の圧力により、シェルカートリッジ３２内のマーキングボール３３が推進力を得て押し出される。押し出されるマーキングボール３３はシェルカートリッジ３２から抜け出し、バレル３１内においてさらに加速され、バレル３１開放口３１ａから発射される。
【００２５】
図７に示すように、シェルカートリッジ３２の内径Ｒ１は、マーキングボール３３の直径Ｒ２よりも若干小さく形成されており、マーキングボール３３は弱弾性を有しているため、シェルカートリッジ３２に詰められたマーキングボール３３は若干扁平に歪んだ形状となって、マーキングボール３３とシェルカートリッジ３２とが密着した状態となっている。従って、ガスプール１１ｃ内に充満した圧縮気体がマーキングボール３３とシェルカートリッジ３２との間から漏れ出ることもなく、マーキングボール３３を効率的に発射することが可能となっている。
【００２６】
また、バレル３１の内径Ｒ３はマーキングボール３３の直径Ｒ２よりも大きく形成されており、シェルカートリッジ３２から押し出されたマーキングボール３３は、バレル３１内を通過する間に扁平に歪んだ形状から球形状へ戻ることができるため、発射されたマーキングボール３３の直進性を損なうことがない。
さらに、マーキングボール発射装置１では、特許３０２０７３９号に示すように、発射速度を低下させることなくマーキングボール３３にスライス回転を付与する等して、発射されたマーキングボール３３の射程距離や直進性を高めることができる。
【００２７】
以上のように、マーキングボール発射装置１は、一端から他端にかけてガス通路１１ａが形成される本体ボディ１１を供えた本体部１０と、圧縮気体が充填されたガスボンベ２２を収納するホルダー２１を備え、本体部１０の一端側に装着されるガスホルダー部２０と、マーキングボール３３が装填されたバレルを備え、本体部１０の他端側に装着されるバレル部３０とを備え、前記本体ボディ１１にはガスボンベ２２の開封手段であるピストン１３、および該ピストン１３を操作する操作レバー１２が設けられ、前記本体ボディ１１のガス通路１１ａは、ホルダー２１とマーキングボール３３が装填されたバレル３１とにより密封されており、操作レバー１２の操作によりガスボンベ２２が開封されると、ガスボンベ２２内の圧縮気体が本体ボディ１１のガス通路１１ａ内に充満し、充満した圧縮気体の圧力により、バレル３１に装填されるマーキングボール３３がバレル３１外部へ発射されるように構成されている。
これにより、マーキングボール発射装置１は、簡単な構造で小型軽量に構成でき、マーキングボールの高精度な投擲を実現しながら携帯が可能なマーキングボール発射装置に構成することが可能となっている。
【００２８】
また、マーキングボール発射装置１においては、ガスボンベ２２の開封部である開封口２２ａの風板２２ｂガス通路１１ａ内に面しており、ピストン１３のホルダー２１側端部には、ホルダー２１側に突出する尖端を備えた突起部１３ｂが形成されるとともに、連通孔１３ｃが形成されており、ピストン１３の摺動方向への移動可能状態と移動不能状態とを切り換える操作レバー１２の操作によりピストン１３を摺動不能状態から摺動可能状態へ切り換えると、該ピストン１３がピストンスプリング１４の付勢力によりホルダー２１側へ移動してガスボンベ２２の風板２２ｂを打ち破ってガスボンベ２２を開封し、開封されたガスボンベ２２から放出される圧縮気体が、ピストン１３の連通孔１３ｃを通じてガス通路１１ａのピストン１３よりホルダー２１側に位置する部分からバレル３１側に位置する部分へ侵入するように構成している。
これにより、簡単な操作でガスボンベ２２を開封してマーキングボール３３を確実に発射することが可能となっており、マーキングボール発射装置１の信頼性を高めている。
【００２９】
また、マーキングボール発射装置１のバレル３１には、複数個（本実施例では３個）のマーキングボール３３が装填されており、特にマーキングボール発射装置１から識別対象までの距離が離れている場合には、複数のマーキングボール３３は互いに若干の間隔を空けて飛んでいくこととなるので、識別対象に対する狙いが若干ずれたとしても、何れかのマーキングボール３３が識別対象に当たり易くなり、マーキングボー３３の識別対象に対する命中確立を向上させることが可能となっている。
【００３０】
ここで、図８に示すように、本体ボディ１１には携帯電話端末やＰＨＳ端末等の小型通信端末５１が装着されており、操作レバー１２のレバー部１２ａと本体ボディ１１との間には、小型通信端末５１の発信スイッチ５２が配置されている。
該発信スイッチ５２は、レバー部１２ａを押し下げるとオンするように構成されており、発信スイッチ５２がオンすると小型通信端末５１からの発信がなされる。
【００３１】
このように、小型通信端末５１をマーキングボール発射装置１に装着することで、マーキングボールを識別対象へ発射した場合に、発射日時や発射場所等の各種情報を配信・記録・蓄積等して、マーキングボール３３の被識別剤が付着した識別対象の発見および識別を容易に可能とする識別システムを構成することができる。
【００３２】
つまり、図９に示すように、マーキングボール３３の発射と略同時に、小型通信端末５１から、各マーキングボール発射装置１に固有の識別記号、マーキングボール３３が発射された旨、発射時刻、および発射エリア等に関する情報を通信網Ｎを通じて、予め設定されている送信先であるデータステーション６１のサーバ６２へ向けて発信し、小型通信端末５１から発信された各種情報を受け取ったサーバ６２では、当該情報を適宜処理してデータベース６３に格納し、格納された情報を用いて識別対象の発見、識別を行う識別システムを構成することができる。
【００３３】
この場合、発射時刻情報は、小型通信端末５１またはマーキングボール発射装置１が備える時計機能により取得する。また、発射エリア情報は、小型通信端末５１が例えばＰＨＳである場合には、その小型通信端末５１がどの中継アンテナのカバーエリアに位置しているかを識別することで取得する。小型通信端末５１ＧＰＳ等の位置情報取得機能を備えているときには、マーキングボール３３の発射場所をさらに正確に把握することが可能である。
また、小型通信端末５１が撮像機能を備えている場合には、マーキングボール３３の発射時および発射前後に撮影した現場の画像情報も同時に発信することが可能であり、音声記録機能を備えている場合には、マーキングボール３３の発射時および発射前後に録音した現場の音声情報も同時に発信することが可能である。
さらに、緊急事態が発生した旨のメールの送信や、緊急連絡先への前記各種情報の送信等を行うことも可能である。
【００３４】
また、マーキングボール３３内に充填されている被識別剤は複数種類の成分が含まれているが、被識別剤の構成成分としては、例えば磁気センサの役割を果たすフェライト等の磁性体、明るい場所では蓄光して暗闇で光を発する蓄光塗料、紫外光を発するブラックライト等に反応して光る蛍光塗料、および特定の香りを有する香料等の成分が考えられる。この特定の香りを有する香料としては、例えば、訓練された犬等の動物には匂いを感じることができるが、人には匂いが感じられないといった特性を備える香料等がある。
【００３５】
これらの被識別剤の構成成分としては、通常人間の五感ではその存在を感じ取ることが難しいが、特定の条件が揃うとその存在を発見、識別することができるものが好ましく、このような成分を用いることでマーキングボール３３にステルス性を備えさせることができる。
つまり、識別対象に被識別剤が付着した場合、例えば昼間の屋外の場所等では識別対象に被識別剤が付着していることを認識することができないが、識別対象が磁気検出器や紫外光発生器の近傍を通過したとき、または暗闇の中に侵入したとき等に被識別剤の付着を認識することができたり、匂いを感じる動物等が反応したりする特性を付与することができるものである。
【００３６】
さらに、マーキングボール３３内に充填されている被識別剤に含まれる複数種類の成分の含有率を、マーキングボール３３毎に変化させることで、マーキングボール発射装置１とマーキングボール３３とを対応付けることが可能となる。
【００３７】
例えば、被識別剤が５種類の異なった成分Ａ・Ｂ・Ｃ・Ｄ・Ｅを含んでいる場合、各成分Ａ・Ｂ・Ｃ・Ｄ・Ｅの含有率をそれぞれ５水準の含有率に異ならせると（成分Ａについては含有率ａ１〜ａ５、成分Ｂについては含有率ｂ１〜ｂ５、成分Ｃについては含有率ｃ１〜ｃ５、成分Ｄについては含有率ｄ１〜ｄ５、成分Ｅについては含有率ｅ１〜ｅ５）、３１２５通り（５（成分）の５（水準）乗＝３１２５）の異なった成分の含有率のマーキングボール３３を構成することができる。例えば、あるマーキングボール３３は被識別剤を構成する成分が「Ａ（ａ１）＋Ｂ（ｂ１）＋Ｃ（ｃ１）＋Ｄ（ｄ１）＋Ｅ（ｅ１）」であり、別のマーキングボール３３では被識別剤を構成する成分が「Ａ（ａ１）＋Ｂ（ｂ２）＋Ｃ（ｃ３）＋Ｄ（ｄ４）＋Ｅ（ｅ５）」となる。なお、ここで、Ｘ（ｘ１）は、成分Ｘの含有率がｘ１であることを意味している。
【００３８】
そして、前記データベース６３には、マーキングボール発射装置１に装着されるマーキングボール３３の構成成分率と、そのマーキングボール発射装置１に付与されている固有の識別記号とが対応付けて記憶されている。
また、各マーキングボール発射装置１がどの場所に設置されまたは誰が携帯しているかの情報がデータベース６３に記憶されている。
さらに、各マーキングボール発射装置１に装填されるマーキングボール３３の成分含有率を、マーキングボール発射装置１の配置場所や地域に応じて異ならせている。
【００３９】
また、磁気検出器や紫外線発生器等といった、マーキングボール３３の被識別剤に含まれる各成分の検出器６５が、電柱や街灯の柱、各種施設・店舗・建物内外、および有料道路の料金所等の、屋内・屋外の適宜箇所に設置され、または警察官、警備員、および防犯担当者等の人物に適宜携帯されており、被識別剤が付着した識別対象がこの検出器６５の近傍を通過すると、検出器６５が各成分を検出できるようになっている。
被識別剤の成分を検出した検出器６５は、成分を検出した旨、および各成分の含有率に関する情報を、通信網Ｎを通じてサーバ６２へ送信する。サーバ６２では、受信した情報に含まれる各成分の含有率と、記憶装置であるデータベース６３に記憶されている被識別剤の各成分の含有率情報とを照合して、各成分の含有率が一致するマーキングボール３３に対応するマーキングボール発射装置１を特定する。
【００４０】
これにより、識別対象に付着している被識別剤が充填されていたマーキングボール３３が、どのマーキングボール発射装置１から発射されたかを特定することができる。
さらに、各マーキングボール発射装置１には、どの場所に設置され、または誰が形態しているかの固有情報が付与されてデータベース６３に記憶されており、マーキングボール３３を発射したマーキングボール発射装置１からは発射した時刻や発射エリア等の情報がサーバ６２に送信されてくるので、何時、何処でマーキングボール３３が発射されたかを特定することができる。
また、成分情報を送信してきた検出器６５の設置場所等に関する情報もデータベース６３に記憶されているので、被識別剤が付着した識別対象が現在何処にいるかを把握することも可能となっている。
【００４１】
マーキングボール発射装置１や検出器６５から送信されてきた情報や、これらの情報をサーバ６２にて処理して得られたマーキングボール３３が何時、何処で発射されたかの情報、および被識別剤が付着した識別対象が現在何処にいるかといった情報等は、警察や警備会社等の機関６６に送信される。
これらの情報を受け取った機関６６は、この情報を参考にして迅速且つ確実に識別対象を発見、識別して、拘束、検挙することが可能となり、防犯抑止効果を大幅に向上させることができる。
【００４２】
上述のごとく、マーキングボール発射装置１には小型通信端末５１が装着されており、操作レバー１２を操作してマーキングボール３３を発射させると発信スイッチ５２がオンして、マーキングボール３３が発射された旨の情報および該マーキングボール発射装置１に固有の情報（例えばマーキングボール発射装置１毎に付与されるシリアルナンバーや、発射時刻や、発射装置の配置場所等の情報）が、装着された小型通信端末５１から、予め設定されている送信先であるデータステーション６１のサーバ６２へ送信されるように構成している。
これにより、データステーション６１にて、マーキングボール３３がどのマーキングボール発射装置１から何時、何処で発射されたのか、といったような事象を特定、把握することができ、マーキングボール３３が当たった識別対象を識別、拘束するために有益な情報を容易に得ることが可能となっている。
【００４３】
また、小型通信端末５１はデータ通信機能を有しており、さらに撮像機能、音声記録機能、および位置情報取得機能を有するものである場合は、強盗等の突発事件が発生した現場の状況や現場にいる識別対象を画像や音声で直接捕らえたり、マーキングボール３３の発射場所を正確に把握したりすることができ、識別対象の識別、拘束を、より容易に行うことが可能となる。
【００４４】
また、マーキングボール３３内には複数種類の成分を含む被識別剤が充填されており、被識別剤の各成分の含有率が異なる複数のマーキングボール３３が存在し、マーキングボール発射装置１に装着されているマーキングボール３３における被識別剤の各成分の含有率と、そのマーキングボール発射装置１に固有の情報とを対応付けた情報が、前記データベース６３に記憶されているので、何時、何処で、どのマーキングボール発射装置１からマーキングボール３３が発射されたかを特定することができるとともに、被識別剤が付着した識別対象が現在何処にいるかも容易に把握することができ、識別対象の識別、拘束をさらに確実に行うことが可能となっている。
【００４５】
また、図１０に示すように、マーキングボール発射装置１は、本体部１０の本体ボディ１１を途中で屈曲して「く」字状に曲げた形状とすることもできる。この場合、マーキングボール発射装置１は、モデルガンのように、ガスホルダー部２０を握って人指し指等を操作レバー１２にかけながら体の正面で構え易くなり、識別対象を狙い易くなる。
【実施例２】
【００４６】
次に、実施例２の構成について説明する。
図１１は他の実施例である発射装置の斜視図。
図１２は同じく正面図。
図１３は同じく後面図。
図１４は同じく側面図。
この実施例に示す発射装置１００は、ボディ１０１に装着されたレーザポインタ１４０により、狙いを定め、トリガー１１０を押すことにより、射出口１３０よりマーキングボールを射出する。マーキングボールの射出はガス圧を利用し、キャップ１２０を開き装着されるガスボンベより供給される。
ボディ１０１は樹脂により構成されており、正面視において縦長形状であって、側面視において横長の略長方形状に構成されている。ボディ１０１の中央下部および前上部には、側面視において、弧状のくぼみが形成されている。そして、側面の前部中央に凹部を設けており、この凹部にレーザポインタ１４０を装着可能に構成している。また、ボディ１０１配設側側面が盛り上がった形状となっている。
射出口１３０はボディ１０１の下部において長手方向に沿って設けられており、レーザポインタ１４０のレーザー光照射方向に向けられている。射出口１３０の上方にはキャップ１２０が配設され、キャップ１２０の内側にガスボンベが配設される。下部に設けられた射出口１３０と上部に設けられたキャップ１２０の間には、レーザポインタ１４０が配設されており、ボディ１０１において、射出口１３０とガスボンベ装着部とレーザポインタ配設部とが、前部に集約された構成となっている。そして、ボディ１０１の後上部にトリガー１１０が配設されている。
ボディ１０１の後部には、マーキングボールを収納するカートリッジ１５２およびガスボンベを開封するためのピストンが配設されている。カートリッジ収納部はカートリッジキャップ１５０により閉じられている。
ボディ１０１のトリガー配設部の近傍には、安全ピン挿入孔１０１ｓが設けられており、この安全ピン挿入孔１０１ｓに安全ピンを挿入することにより、トリガー１１０が固定されマーキングボールの誤発射が防止される。
【００４７】
次に発射装置の内部構成について説明する。
図１５は発射装置の斜視一部断面図。
図１６は同じく側面断面図。
図１７はボディへの組み付け構成を示す図。
図１８は発射過程を示す図。
発射過程は図１８（ａ）、図１８（ｂ）、図１８（ｃ）の順に進む。発射装置１００は、図１８（ａ）のようにトリガー１１０が押され、図１８（ｂ）に示すようにピストン１１１が開放され、図１８（ｃ）に示すようにガスボンベ１２１が開封されて、カートリッジ１５２内のマーキングボール３３が発射される構成となっている。
発射装置１００を構成するボディ１０１の内部構成について説明する。
ボディ１０１の前上部には、ガスボンベ１２１を配設するボンベ収納部１０２が設けられており、ボディ１０１の上部中央部から後部にかけて、ピストン１１１を配設するためのピストン室１０３が設けられている。
ボンベ収納部１０２とピストン室１０３とは、連通孔１０２ｂにより連通しており、この連通孔１０２ｂにガスボンベ１２１の先端部を挿入した状態で、キャップ１２０によりボンベ収納部１０２を閉じて、ボンベ１２１をボンベ収納部１０２内に固定する。これにより、ガスボンベ１２１の先端部がピストン室１０３に向けて配設され、ピストン１１１によりガスボンベ１２１を開封可能となる。
ピストン１１１は、バネ１１２の弾性力によりガスボンベ１２１に向けて押し出されるものであり、ピストン１１１の内側にバネ１１２が装着される構成となっている。バネ１１２の前端はピストン１１１に挿入されており、後端はキャップ１６０に当接している。  マーキングボール３３を発射する前には、ピストン１１１はトリガー１１０に接続する係止ピン１１０ｇに係止されており、バネ１１２がピストン１１１とキャップ１６０との間において圧縮された状態で保持される。
そして、トリガー１１０により係止ピン１１０ｇを操作して、ピストン１１１の係止を解除することにより、ピストン１１１がバネ１１２の弾性力により前方に押し出されガスボンベ１２１に衝突する。トリガー１１０の前部とボディ１０１との間にはバネ１１０ｂが配設されており、トリガー１１０の前部を上方に付勢している。
トリガー１１０の下部には左右方向に支軸１１０ｄが装着されており、安全ピン孔１１０ｃが設けられている。支軸１１０ｄはトリガー１１０を傾動可能に支持する構成となっている。そして、安全ピン孔１１０ｃには安全ピンが挿入され、誤発射を防止する。ボディ１０１の安全ピン挿入孔１０１ｓに挿入された安全ピンはトリガー１１０の安全ピン孔１１０ｃに挿入され、トリガー１１０がボディ１０１に固定される。これにより発射装置１００の誤発射を防止する構成となっている。
【００４８】
ピストン室１０３はガス供給孔１０４を介してカートリッジ装着部１０５と連通している。カートリッジ装着部１０５はボディ１０１の後下部に設けられており、射出口１３０の延長上に位置する。カートリッジ１５２は、マーキングボール３３を複数個保持する。カートリッジ１５２は筒状に構成されており、内側にマーキングボール３３を複数個保持する。カートリッジ１５２の後端部には、前および中央部よりも大径に構成された大径部１５２ｂが設けられており、この大径部１５２ｂがカートリッジ装着部１０５の当接面１０５ｂに当接して、カートリッジ１５２の位置決めが行われる。
そして、カートリッジ１５２とカートリッジキャップ１５０との間にはスペーサ１５３が配設される。スペーサ１５３はカートリッジキャップ１５０と一体的に構成されるので、カートリッジ１５２の位置決めを容易に行うことができる。
そして、ホルダー１５２とキャップ１５１との間には開口が設けられているので、ガスボンベ１２１からのガス圧がカートリッジ１５２の後部にかかり、マーキングボール３３を射出することができる。
【００４９】
このように、発射装置１００は、射出口１３０の配設方向に沿って、ガスボンベ１２１および開封手段であるピストン１１１、そしてカートリッジ１５２を配設するとともに、ガスボンベ１２１およびピストン１１１を射出口１３０およびカートリッジ１５２に対してオフセットした位置に配設している。さらに、ガスの噴出経路は、ボディ１０１において前方から後方に向かい、ボディ１０１後部において折り返し、再び前方へと噴出し、射出口１３０よりマーキングボール３３を打ち出す。ボディ１０１内においてガスの噴出経路を折り返すことにより、発射装置１００をコンパクトに構成できる。
【００５０】
次に、実施例２におけるピストンの構成について説明する。
まず、第１例のピストン構成について説明する。
図１９は実施例２における第１例のピストン構成を示す斜視図。
図２０は同じく側面図および正面図。図２０（ａ）は側面図、図２０（ｂ）は正面図。  ピストン１１１には、突起部１７１、開口部１７０、係合部１７２が構成されている。  突起部１７１はピストン１１１の前部において先端部を前方に向けて配設される。第１例において、突起部１７１は四角錐形状をピストン１１１の正面に取付けた形状となっている。
このように、ピストン１１１の先端部である突起部１７１を多角形状で鋭角に構成するので、炭酸ガスが封入されているガスボンベ１２１の開封蓋を切り込むように開封することができる。突起部１７１の角部が開封蓋を上下左右に切り込むので、容易に開封することができる。そして、突起部１７１の耐久性を向上でき、ガスボンベ１２１の開封蓋を大きく開口させることができる。開口を大きくすることにより、ガス放出量を大きくし、マーキングボール３３の発射速度を増大し、飛距離、有効射程距離、威力などを向上できる。また、発射装置１００が小型であっても十分な飛距離および有効射程距離を得ることが出来る。
【００５１】
そして、ピストン１１１の正面および前部側面には、開口部１７０が設けられており、ピストン１１１の外側と内側とを連通する構成となっている。そして、ピストン１１１の中央部には周に添って窪んだ小径部である係合部１７２が構成されている。係合部１７２はトリガー１１０に接続した係止ピン１１０ｇと係合して、ピストン１１１を係止する部位となっている。
【００５２】
係止部１７２の後方には後方に向いた傾斜部１７３が構成されている。傾斜部１７３は後方に向けて径が小さくなるように構成されており、これにより、ピストン１１１をセットするときに円滑に係止ピン１１０ｇとの係合を行う構成となっている。
係止ピン１１０ｇとの係合がはずれた状態から、ピストン１１１を後方に押し込むと、トリガー１１０の係止ピン１１０ｇが傾斜部１７３に添って押し上げられる。そしてさらに、ピストン１１１を押し込むことにより、係止ピン１１０ｇが係合部１７２に嵌合し、ピストン１１１が係止される。このように、ピストン１１１を後方に押し込むことにより、自動的に係止ピン１１０ｇが押し上げられ、容易にピストン１１１を係止状態とすることができる。
【００５３】
次に、第２例のピストン構成について説明する。
図２１は第２例のピストン構成を示す斜視図。
図２２は同じく側面図および正面図。図２２（ａ）は側面図、図２２（ｂ）は正面図。  ピストン１１１には、突起部１７１ｂ、開口部１７０、係合部１７２が構成されている。
突起部１７１ｂはピストン１１１の前部において先端部を前方に向けて配設される。第２例において、突起部１７１ｂは略四角錐形状をピストン１１１の正面に取付けた形状となっており、側面がえぐれた形状となっており、側面が弧状にくぼみ、先端に向かうほど鋭角に構成されている。
このように、ピストン１１１の先端部である突起部１７１ｂを多角形状で先端側を鋭角に構成するので、ガスボンベ１２１の開封蓋を切り込むように開封することができ、ピストン１１１の耐久性を向上できる。
【００５４】
次に、第３例のピストン構成について説明する。
図２３は第２例のピストン構成を示す斜視図。
図２４は同じく側面図および正面図。図２４（ａ）は側面図、図２４（ｂ）は正面図。  ピストン１１１には、突起部１７１ｃ、開口部１７０、係合部１７２が構成されている。
突起部１７１ｃはピストン１１１の前部において先端部を前方に向けて配設される。第３例において、突起部１７１ｃは略四角錐形状をピストン１１１の正面に取付けた形状となっており、側面中央に切化基部１７１ｄを設けている。切欠き部１７１ｄは突起部１７１ｃの各側面に設けられる。
このように、切化基部１７１ｄを設けているので、ガスボンベ１２１の開封蓋が突起部１７１ｃの側面から受ける面圧が大きくなり、開封時において切欠き部１７１ｄがガスの噴出経路となり、開封が円滑に行われるとともに、ガスボンベ１２１の開封蓋がより切り込むように開封されることとなる。これにより、開封蓋を容易にあけることができ、ピストン１１１の耐久性を向上できる。
【００５５】
次に、発射装置１００の把持構成について説明する。
図２５は発射装置の把持例を示す図。
図２５に示す発射装置１００は、右利き用のものであり、発射装置１００の膨らんだ側面を掌に向けて把持される。これにより、親指をトリガー１１０の上に位置させ、マーキングボール射出方向に人差し指を伸ばすと自然にレーザポインタ１４０に添えられるようになっている。これにより自然な動作で発射装置１００を操作することができる。
【００５６】
また、発射装置１００には、Ｂｌｕｅｔｏｏｔｈ（登録商標）やＨｏｍｅＲＦ（登録商標）などの無線通信技術に対応した近距離無線端末を装着することができる。このような端末を利用して、携帯電話などの通信網に接続する端末にマーキングボール３３の発射情報を送信することができる。トリガー１１０とボディ１０１との間に、近距離無線端末の発信スイッチを配置し、トリガー１１０を押すとオンとなりマーキングボール３３の発射情報を携帯電話に送信する。
このように、近距離無線端末を発射装置１００に装着することで、マーキングボールを識別対象へ発射した場合に、発射日時や発射場所等の各種情報を配信・記録・蓄積等して、マーキングボール３３の被識別剤が付着した識別対象の発見および識別を容易に可能とする識別システムを構成することができる。
また、近距離無線端末を利用するので、マーキングボール３３の発射情報の暗号化および改ざん防止などのセキュリティー性を向上できる。
【図面の簡単な説明】
【００５７】
【図１】本発明にかかるマーキングボール発射装置を示す側面図である。
【図２】マーキングボール発射装置を示す側面断面図である。
【図３】バレルの本体ボディへの接続部を示す側面図である。
【図４】ピストンを発射可能状態にセットする様子を示す側面断面図である。
【図５】操作レバーが操作されピストンによりガスボンベが開封された様子を示す側面断面図である。
【図６】ガスボンベから放出された圧縮気体の圧力によりマーキングボールが発射される様子を示す側面断面図である。
【図７】シェルカートリッジの内径、マーキングボールの直径、およびバレルの内径の関係を示す側面断面図である。
【図８】小型携帯端末が装着されたマーキングボール発射装置を示す側面図である。
【図９】識別システムを示す概要図である。
【図１０】マーキングボール発射装置の第二の実施形態を示す側面図である。
【図１１】他の実施例である発射装置の斜視図。
【図１２】同じく正面図。
【図１３】同じく後面図。
【図１４】同じく側面図。
【図１５】発射装置の斜視一部断面図。
【図１６】同じく側面断面図。
【図１７】ボディへの組み付け構成を示す図。
【図１８】発射過程を示す図。
【図１９】実施例２における第１例のピストン構成を示す斜視図。
【図２０】同じく側面図および正面図。
【図２１】第２例のピストン構成を示す斜視図。
【図２２】同じく側面図および正面図。
【図２３】第２例のピストン構成を示す斜視図。
【図２４】同じく側面図および正面図。
【図２５】発射装置の把持例を示す図。
【符号の説明】
【００５８】
１  マーキングボール発射装置
１０  本体部
１１  本体ボディ
１１ａ  ガス通路
１２  操作レバー
１３  ピストン
２０  ガスホルダー部
２１  ホルダー
２２  ガスボンベ
３０  バレル部
３１  バレル
３２  シェルカートリッジ
３３  マーキングボール
６２  サーバ
６３  データベース
【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
ボディ内にガスボンベを装着可能とし、バネの弾性力によりガスボンベに向けて押し出すように配置したピストンをトリガーにて操作してガスボンベを開封し、このガス圧にてマーキングボールを発射する構成としたマーキングボール発射装置において、前記ボディにボンベ収納部とピストン室とカートリッジ装着部と射出口とを形成し、前記ボンベ収納部・ピストン室と前記カートリッジ装着部・射出口とを並列に配置し、前記ボンベ収納部と射出口とをボディの前側、前記ピストン室とカートリッジ装着部とをボディの後側とし、前記ボンベ収納部にガスボンベをボディの前方側から装着し、前記ピストン室にピストンとバネをボディの後方側から配設し、前記カートリッジ装着部に複数個のマーキングボールを保持したカートリッジをボディの後方側から装着する構成とし、前記ボンベ収納部とピストン室とを連通孔により連通し、この連通孔にガスボンベの先端部を挿入する構成とし、前記ピストン室とカートリッジ装着部とをガス供給部を介して連通し、前記ガスボンベ内のガスの噴出経路をピストン室からカートリッジ装着部とし、前記ガスボンベからのガス圧がカートリッジの後部にかかることによって、前記射出口から複数個のマーキングボールをガス噴出方向とは異なる反対方向に発射可能に構成したことを特徴とするマーキングボール発射装置。
【請求項２】
前記マーキングボール発射装置には通信端末装置が装着可能であり、トリガーを操作してマーキングボールを発射させると、マーキングボールが発射された旨の情報および該マーキングボール発射装置に固有の情報が、装着された通信端末装置から予め設定されている送信先へ送信されることを特徴とする請求項１記載のマーキングボール発射装置。
【請求項３】
前記通信端末装置はデータ通信機能を有し、さらに撮像機能、音声記録機能、および位置情報取得機能、の少なくとも一つの機能を有することを特徴とする請求項２記載のマーキングボール発射装置。
【請求項４】
前記マーキングボール内には複数種類の成分を含む被識別剤が充填されており、被識別剤の各成分の含有率が異なる複数のマーキングボールが存在し、マーキングボール発射装置に装着されているマーキングボールにおける被識別剤の各成分の含有率と、そのマーキングボール発射装置に固有の情報とを対応付けた情報が、前記送信先の記憶装置に記憶されていることを特徴とする請求項２または請求項３記載のマーキングボール発射装置。
【手続補正２】
【補正対象書類名】明細書
【補正対象項目名】全文
【補正方法】変更
【補正の内容】
【発明の詳細な説明】
【技術分野】
【０００１】
本発明は、銀行強盗等の突発事件が発生した場合に、逃走する犯人や車等を識別するためのマーキングボールを発射させるマーキングボール発射装置に関する。
【背景技術】
【０００２】
従来、例えば、金融機関やコンビニエンスストア等にて強盗等の突発事件が発生した場合、逃走する犯人や車等を識別するためにマーキングボールを用いることがある。マーキングボールはカラーボールとも呼ばれ、一般的に直径数十ｍｍ程度の略球形のカプセル内に着色された油性の溶液が封入されたものであり、このマーキングボールを犯人や車等の識別対象、又はその近傍へ向かって投げつけることでカプセルが破壊して、封入された溶液が識別対象に付着し、追跡の目印となって事後の発見を容易にすることが可能となる。このように、マーキングボールは識別対象を識別するために有効であり、金融機関やコンビニエンスストアに設置されるのみならず、各種店舗に備えられたり、個人の防犯用グッズとして持ち歩いたり、といったように広く用いられている。
【０００３】
そして、このようなマーキングボールは、金融機関の行員やコンビニエンスストア等の店舗の店員等といったように、各個人が識別対象となる犯人またはその近傍へ手で投げつけるものである。
しかし、強盗等の突発的な事件が発生した状況において、人の手で正確にコントロールして識別対象へ向けて投げつけることは、相当の訓練を積んだ者であっても困難であり、必ずしも効果的なマーキングを行うことができるものではない。
そこで、識別対象やその近傍へのマーキングボールの投擲を、簡単な操作で比較的精度良く行うことができるマーキングボールの発射装置が考案されている（特許文献１参照）。
【特許文献１】特開２０００−３３１２５７号公報
【発明の開示】
【発明が解決しようとする課題】
【０００４】
前述の特許文献１に記載されている発射装置は、圧搾空気の圧力を利用してマーキングボールを発射させるものであるが、空気室と犯人識別弾の収容室とを分断している隔壁を電磁シリンダの作動により破壊して、該空気室と収容室を連通させて、圧搾空気の圧力により犯人識別弾を発射するように構成していたり、空気室への圧搾空気の注入・排出を行うための弁体等が設けられていたりするので、部品点数が多くなって装置が大型するとともに、発射装置を作動させるために電源が必要となるため、発射装置は設置タイプに構成せざるを得ず、携帯に適した形態に構成することは困難であった。
そこで、簡単な構造で小型軽量に構成でき、マーキングボールの高精度な投擲を実現しながら携帯が可能なマーキングボール発射装置、および識別対象の発見、識別を容易に行うことができる識別システムを提供するものである。
【課題を解決するための手段】
【０００５】
上記課題を解決するマーキングボール発射装置および識別システムは、以下の特徴を有する。
即ち、請求項１記載の如く、ボディ（１０１）内にガスボンベ（１２１）を装着可能とし、バネ（１１２）の弾性力によりガスボンベ（１２１）に向けて押し出すように配置したピストン（１１１）をトリガー（１１０）にて操作してガスボンベ（１２１）を開封し、このガス圧にてマーキングボール（３３）を発射する構成としたマーキングボール発射装置において、前記ボディ（１０１）にボンベ収納部（１０２）とピストン室（１０３）とカートリッジ装着部（１０５）と射出口（１３０）とを形成し、前記ボンベ収納部（１０２）、ピストン室（１０３）と前記カートリッジ装着部（１０５）、射出口（１３０）とを並列に配置し、前記ボンベ収納部（１０２）と射出口（１３０）とをボディ（１０１）の前側、前記ピストン室（１０３）とカートリッジ装着部と（１０５）をボディ（１０１）の後側とし、前記ボンベ収納部（１０２）にガスボンベ（１２１）をボディ（１０１）の前方側から装着し、前記ピストン室（１０３）にピストン（１１１）とバネ（１１２）をボディ（１０１）の後方側から配設し、前記カートリッジ装着部（１０５）に複数個のマーキングボール（３３・３３・・・）を保持したカートリッジ（１５２）をボディ（１０１）の後方側から装着する構成とし、前記ボンベ収納部（１０２）とピストン室（１０３）とを連通孔（１０２ｂ）により連通し、この連通孔（１０２ｂ）にガスボンベ（１２１）の先端部を挿入する構成とし、前記ピストン室（１０３）とカートリッジ装着部（１０５）とをガス供給部（１０４）を介して連通し、前記ガスボンベ（１２１）内のガスの噴出経路をピストン室（１０３）からカートリッジ装着部（１０５）とし、前記ガスボンベ（１２１）からのガス圧がカートリッジ（１５２）の後部にかかることによって、前記射出口（１３０）から複数個のマーキングボール（３３・３３・・・）をガスボンベ（１２１）からのガス噴出方向とは異なる反対方向に発射可能に構成したものである。
これにより、簡単な構造で小型軽量に構成でき、マーキングボールの高精度な投擲を実現しながら携帯が可能なマーキングボール発射装置を構成することができる。
また、簡単な操作でボンベを開封してマーキングボールを確実に発射することが可能となり、マーキングボール発射装置の信頼性を高めることができる。
さらに、識別対象に対する狙いが若干ずれたとしても、何れかのマーキングボールが識別対象に当たり易くなり、マーキングボールの識別対象に対する命中確立を向上させることが可能となる。
【０００６】
また、請求項２記載の如く、前記マーキングボール発射装置には通信端末装置が装着可能であり、トリガーを操作してマーキングボールを発射させると、マーキングボールが発射された旨の情報および該マーキングボール発射装置に固有の情報が、装着された通信端末装置から予め設定されている送信先へ送信されるものである。
これにより、送信先にて、マーキングボールがどのマーキングボール発射装置から何時、何処で発射されたのか、といったような事象を特定、把握することができ、マーキングボールが当たった識別対象を識別、拘束するために有益な情報を容易に得ることが可能となる。
【０００７】
また、請求項３記載の如く、前記通信端末装置はデータ通信機能を有し、さらに撮像機能、音声記録機能、および位置情報取得機能、の少なくとも一つの機能を有するものである。
これにより、強盗等の突発事件が発生した現場の状況や現場にいる識別対象を画像や音声で直接捕らえたり、マーキングボールの発射場所を正確に把握したりすることができ、識別対象の識別、拘束を、より容易に行うことが可能となる。
【０００８】
また、請求項４載の如く、前記マーキングボール内には複数種類の成分を含む被識別剤が充填されており、被識別剤の各成分の含有率が異なる複数のマーキングボールが存在し、マーキングボール発射装置に装着されているマーキングボールにおける被識別剤の各成分の含有率と、そのマーキングボール発射装置に固有の情報とを対応付けた情報が、前記送信先の記憶装置に記憶されているものである。
これにより、何時、何処で、どのマーキングボール発射装置からマーキングボールが発射されたかを特定することができるとともに、被識別剤が付着した識別対象が現在何処にいるかも容易に把握することができ、識別対象の識別、拘束をさらに確実に行うことが可能となる。
【発明の効果】
【０００９】
本発明によれば、簡単な構造で小型軽量に構成でき、マーキングボールの高精度な投擲を実現しながら携帯が可能なマーキングボール発射装置を構成することができる。
また、簡単な操作でボンベを開封してマーキングボールを確実に発射することが可能となり、マーキングボール発射装置の信頼性を高めることができる。
さらに、何時、何処で、どのマーキングボール発射装置からマーキングボールが発射されたかを特定することができるとともに、被識別剤が付着した識別対象が現在何処にいるかも容易に把握することができ、識別対象の識別、拘束を確実に行うことが可能となる。    
【発明を実施するための最良の形態】
【００１０】
次に、本発明を実施するための形態を、添付の図面を用いて説明する。
本発明にかかるマーキングボール発射装置は、金融機関やコンビニエンスストア等の店舗等に備え付けられたり、警備員等に携帯されたりするものであり、強盗等の突発事件が発生した場合に、逃走する犯人や車等を識別するためのマーキングボールを発射するものである。
また、マーキングボールを発射した場合には、発射日時や発射場所等を特定して配信・記録することが可能となっている。
【実施例１】
【００１１】
図１に示すように、マーキングボール発射装置１は、本体部１０と、該本体部１０の一端側に配置されるガスホルダー部２０と、本体部の他端側に配置されるバレル部３０とを備えている。
【００１２】
図２に示すように、本体部１０は、ガス通路１１ａが形成される本体ボディ１１と、該ガス通路１１ａ内に摺動自在に嵌装されるピストン１３と、マーキングボールの発射操作を行うための操作レバー１２とを備えている。
また、本体ボディ１１には、マーキングボール３３を発射する際に、発射目標へ向かって照射するレーザー照準器１５がブラケット１６を介して装着されている。
【００１３】
前記ピストン１３のガスホルダー部２０側端部には、ガスホルダー部２０側に突出する尖端を備えた突起部１３ｂが形成されるとともに、ガス通路１１ａのピストン１３よりもガスホルダー部２０側に位置する部分とバレル部３０側に位置する部分とを連通する連通孔１３ｃが形成されている。
また、ピストン１３は、ピストンスプリング１４によりガスホルダー部２０側へ付勢されている。
【００１４】
操作レバー１２は、支点１２ｂを中心に回動可能であり、支点１２ｂより一側に位置するレバー部１２ａがレバースプリング１７により外側へ付勢されている。操作レバー１２の支点１２ｂより他側に位置する部分には、内側へ突出するストッパピン１２ｄが設けられており、該ストッパピン１２ｄはレバースプリング１７により内側へ付勢されて、ピストン１３の外周部に形成されるストッパ穴１３ｄに嵌合している。
この、ストッパピン１２ｄがストッパ穴１３ｄに嵌合している状態では、ピストン１３はピストンスプリング１４の付勢力に抗してガス通路１１ａの左側部分に位置しており、ストッパピン１２ｄのストッパ穴１３ｄに対する嵌合状態が解除されると、ピストン１３はピストンスプリング１４の付勢力によりガス通路１１ａ内を右向へ移動する。
【００１５】
ガスホルダー部２０は、ホルダー２１に形成されるボンベ収納室２１ａに、炭酸ガス等の圧縮気体が充填されたガスボンベ２２を収納して構成されており、ホルダー２１の一端部に開口するボンベ収納口２１ｂはキャップ２３により閉塞されている。
ガスボンベ２２は着脱可能に収納されており、キャップ２３を取り外した状態で、ボンベ収納口２１ｂからボンベ収納室２１への着脱を行う。
ホルダー２１の他端部は本体ボディ１１に螺装されており、該ホルダー２１の他端部には連通口２１ｃが開口している。
該連通口２１ｃにはガスボンベ２２の開封口２２ａが挿入されており、該開封口２２ａと本体ボディ１１のガス通路１１ａとが連通している。
【００１６】
バレル部３０は、筒状に形成されるバレル３１の基端部（本体ボディ１１側端部）に、複数個のマーキングボール３３が直列に詰められたシェルカートリッジ３２を嵌装して構成されており、本体ボディ１１の他端側に着脱可能に装着されている。
図３に示すように、バレル３１の基端部にはＬ字状のロック孔３１ｂが形成されており、本体ボディ１１の他端部において径方向内側に突出するバレルロックピン１８と該ロック孔３１ｂの装着孔３１ｃとを嵌合させながらバレル３１を本体ボディ１１に挿入した後、バレル３１を本体ボディ１１に対して回転させてバレルロックピン１８とロック孔３１ｂの係合孔３１ｄとを係合させることで、バレル３１を本体ボディ１１に装着している。
【００１７】
マーキングボール３３は、ゼラチン皮質等の弱弾性物質にて略球形に形成された外皮の内部に被識別剤を充填して構成したものであり、充填される被識別剤は、油、水、色素、香料、珪素、セラミックス等を含んでいる。
マーキングボール３３の外皮は薄膜に形成されており、発射されたマーキングボール３３が識別対象に当たった場合には容易に破れて、充填された被識別剤が容易に識別対象に付着することが可能となっている。また、識別対象に当たったときの衝撃は軽微なものとなっている。
【００１８】
このように構成されるマーキングボール発射装置１の作動について説明する。
まず、マーキングボール３３を発射させるための事前準備として、以下の作業を行う。  ストッパピン１２ｄとストッパ穴１３ｄとの嵌合状態が解除されていて、ピストン１３がピストンスプリング１４の付勢力によりガス通路１１ａの右側部分に位置している状態となっているときには、ピストン１３を発射可能状態にセットする。
【００１９】
つまり、図４に示すように、ホルダー２１のキャップ２３を取り外し、ホルダー２１のボンベ収納口２１ｂから棒状部材または管状部材４１を挿入して、該管状部材等４１によりピストン１３を左方向へ押し込む。この場合、操作レバー１２は、レバー部１２ａを押さえてストッパピン１２ｄがガス通路１１ａ内に突出しないようにしておく。ピストン１３を押し込んで、ストッパ穴１３ｄとストッパピン１２ｄとの位置が合うと、レバー部１２ａから手を離してストッパピン１２ｄをストッパ穴１３ｄに嵌合させて、ピストン１３をガス通路１１ａの左側部分に保持させる。
また、管状部材等４１をホルダー２１内に挿入してピストン１３を押し込む場合、単に管状部材等４１を押し込むだけでなく、管状部材等４１の外周部に螺子を切り、この螺子とホルダー２１のキャップ２３を螺装する部分に形成される螺子部とを螺合させて、該管状部材等４１を回転操作することにより、管状部材等４１をピストン１３方向へ進行させるように構成することもできる。
これにより、大きな力を加えることなくピストン１３を発射可能状態にセットすることが可能となる。
【００２０】
また、操作レバー１２に形成される安全ピン挿入孔１２ｃに安全ピン（図示せず）を挿入する。この安全ピンは、安全ピン挿入孔１２ｃに挿入することで、ストッパピン１２ｄがストッパ穴１３ｄと嵌合している状態に操作レバー１２の位置を固定するものであり、不意に操作レバー１２が操作されてピストン１３がホルダー２１側へ移動することを防止するものである。
【００２１】
ピストン１３を発射可能状態にセットして安全ピンにより操作レバー１２を固定した後に、ホルダー２１のボンベ収納室２１ａにガスボンベ２２を挿入し、ボンベ収納口２１ｂにキャップ２３を螺装して閉塞する。
次に、複数個のマーキングボール３３が直列に詰められたシェルカートリッジ３２をバレル３１の基端部に挿入して、シェルカートリッジ３２を挿入したバレル３１を本体ボディ１１の他端側に装着する。
このように、ピストン１３、ガスボンベ２、およびマーキングボール３３がセットされた状態（図２に示す状態）から、前記安全ピンを引き抜くと発射準備が完了する。
【００２２】
次に、事前準備が完了したマーキングボール発射装置１の発射動作について説明する。  まず、ガスホルダー部２０のホルダー２１に貼設されているレーザー照準器１５のスイッチ１５ａを押して、該レーザー照準器１５からレーザー光を発射させ、発射されたレーザー光を目標に向けて照準を合わせる。
照準を合わせながら操作レバー１２のレバー部１２ａを押し下げると、ストッパ穴１３ｄとストッパピン１２ｄとの係合状態が解除される。
ピストン１３は、ピストンスプリング１４によりガスホルダー部２０側へ付勢されているので、ストッパピン１２ｄがストッパ穴１３ｄから抜け出して両者の係合状態が解除されると、ピストン１３は勢い良くガスホルダー部２０側へ移動する。
【００２３】
図５に示すように、ピストン１３がガスホルダー部２０側へ移動すると、該ピストン１３の突起部１３ｂがガスボンベ２２の開封口２２ａに当接して、該開封口２２ａの風板２２ｂを打ち抜き、風板２２ｂが打ち抜かれたガスボンベ２２からは圧縮気体が放出される。放出された圧縮気体は、ピストン１３の連通孔１３ｃを通じて、ピストン１３よりバレル３１側のガス通路１１ａに案内され、該ガス通路１１ａおよびシェルカートリッジ３２に隣接するガスプール１１ｃ内に充満する。
【００２４】
図６に示すように、ガス通路１１ａおよびガスプール１１ｃ内に充満した圧縮気体の圧力により、シェルカートリッジ３２内のマーキングボール３３が推進力を得て押し出される。押し出されるマーキングボール３３はシェルカートリッジ３２から抜け出し、バレル３１内においてさらに加速され、バレル３１開放口３１ａから発射される。
【００２５】
図７に示すように、シェルカートリッジ３２の内径Ｒ１は、マーキングボール３３の直径Ｒ２よりも若干小さく形成されており、マーキングボール３３は弱弾性を有しているため、シェルカートリッジ３２に詰められたマーキングボール３３は若干扁平に歪んだ形状となって、マーキングボール３３とシェルカートリッジ３２とが密着した状態となっている。従って、ガスプール１１ｃ内に充満した圧縮気体がマーキングボール３３とシェルカートリッジ３２との間から漏れ出ることもなく、マーキングボール３３を効率的に発射することが可能となっている。
【００２６】
また、バレル３１の内径Ｒ３はマーキングボール３３の直径Ｒ２よりも大きく形成されており、シェルカートリッジ３２から押し出されたマーキングボール３３は、バレル３１内を通過する間に扁平に歪んだ形状から球形状へ戻ることができるため、発射されたマーキングボール３３の直進性を損なうことがない。
さらに、マーキングボール発射装置１では、特許３０２０７３９号に示すように、発射速度を低下させることなくマーキングボール３３にスライス回転を付与する等して、発射されたマーキングボール３３の射程距離や直進性を高めることができる。
【００２７】
以上のように、マーキングボール発射装置１は、一端から他端にかけてガス通路１１ａが形成される本体ボディ１１を供えた本体部１０と、圧縮気体が充填されたガスボンベ２２を収納するホルダー２１を備え、本体部１０の一端側に装着されるガスホルダー部２０と、マーキングボール３３が装填されたバレルを備え、本体部１０の他端側に装着されるバレル部３０とを備え、前記本体ボディ１１にはガスボンベ２２の開封手段であるピストン１３、および該ピストン１３を操作する操作レバー１２が設けられ、前記本体ボディ１１のガス通路１１ａは、ホルダー２１とマーキングボール３３が装填されたバレル３１とにより密封されており、操作レバー１２の操作によりガスボンベ２２が開封されると、ガスボンベ２２内の圧縮気体が本体ボディ１１のガス通路１１ａ内に充満し、充満した圧縮気体の圧力により、バレル３１に装填されるマーキングボール３３がバレル３１外部へ発射されるように構成されている。
これにより、マーキングボール発射装置１は、簡単な構造で小型軽量に構成でき、マーキングボールの高精度な投擲を実現しながら携帯が可能なマーキングボール発射装置に構成することが可能となっている。
【００２８】
また、マーキングボール発射装置１においては、ガスボンベ２２の開封部である開封口２２ａの風板２２ｂガス通路１１ａ内に面しており、ピストン１３のホルダー２１側端部には、ホルダー２１側に突出する尖端を備えた突起部１３ｂが形成されるとともに、連通孔１３ｃが形成されており、ピストン１３の摺動方向への移動可能状態と移動不能状態とを切り換える操作レバー１２の操作によりピストン１３を摺動不能状態から摺動可能状態へ切り換えると、該ピストン１３がピストンスプリング１４の付勢力によりホルダー２１側へ移動してガスボンベ２２の風板２２ｂを打ち破ってガスボンベ２２を開封し、開封されたガスボンベ２２から放出される圧縮気体が、ピストン１３の連通孔１３ｃを通じてガス通路１１ａのピストン１３よりホルダー２１側に位置する部分からバレル３１側に位置する部分へ侵入するように構成している。
これにより、簡単な操作でガスボンベ２２を開封してマーキングボール３３を確実に発射することが可能となっており、マーキングボール発射装置１の信頼性を高めている。
【００２９】
また、マーキングボール発射装置１のバレル３１には、複数個（本実施例では３個）のマーキングボール３３が装填されており、特にマーキングボール発射装置１から識別対象までの距離が離れている場合には、複数のマーキングボール３３は互いに若干の間隔を空けて飛んでいくこととなるので、識別対象に対する狙いが若干ずれたとしても、何れかのマーキングボール３３が識別対象に当たり易くなり、マーキングボー３３の識別対象に対する命中確立を向上させることが可能となっている。
【００３０】
ここで、図８に示すように、本体ボディ１１には携帯電話端末やＰＨＳ端末等の小型通信端末５１が装着されており、操作レバー１２のレバー部１２ａと本体ボディ１１との間には、小型通信端末５１の発信スイッチ５２が配置されている。
該発信スイッチ５２は、レバー部１２ａを押し下げるとオンするように構成されており、発信スイッチ５２がオンすると小型通信端末５１からの発信がなされる。
【００３１】
このように、小型通信端末５１をマーキングボール発射装置１に装着することで、マーキングボールを識別対象へ発射した場合に、発射日時や発射場所等の各種情報を配信・記録・蓄積等して、マーキングボール３３の被識別剤が付着した識別対象の発見および識別を容易に可能とする識別システムを構成することができる。
【００３２】
つまり、図９に示すように、マーキングボール３３の発射と略同時に、小型通信端末５１から、各マーキングボール発射装置１に固有の識別記号、マーキングボール３３が発射された旨、発射時刻、および発射エリア等に関する情報を通信網Ｎを通じて、予め設定されている送信先であるデータステーション６１のサーバ６２へ向けて発信し、小型通信端末５１から発信された各種情報を受け取ったサーバ６２では、当該情報を適宜処理してデータベース６３に格納し、格納された情報を用いて識別対象の発見、識別を行う識別システムを構成することができる。
【００３３】
この場合、発射時刻情報は、小型通信端末５１またはマーキングボール発射装置１が備える時計機能により取得する。また、発射エリア情報は、小型通信端末５１が例えばＰＨＳである場合には、その小型通信端末５１がどの中継アンテナのカバーエリアに位置しているかを識別することで取得する。小型通信端末５１ＧＰＳ等の位置情報取得機能を備えているときには、マーキングボール３３の発射場所をさらに正確に把握することが可能である。
また、小型通信端末５１が撮像機能を備えている場合には、マーキングボール３３の発射時および発射前後に撮影した現場の画像情報も同時に発信することが可能であり、音声記録機能を備えている場合には、マーキングボール３３の発射時および発射前後に録音した現場の音声情報も同時に発信することが可能である。
さらに、緊急事態が発生した旨のメールの送信や、緊急連絡先への前記各種情報の送信等を行うことも可能である。
【００３４】
また、マーキングボール３３内に充填されている被識別剤は複数種類の成分が含まれているが、被識別剤の構成成分としては、例えば磁気センサの役割を果たすフェライト等の磁性体、明るい場所では蓄光して暗闇で光を発する蓄光塗料、紫外光を発するブラックライト等に反応して光る蛍光塗料、および特定の香りを有する香料等の成分が考えられる。この特定の香りを有する香料としては、例えば、訓練された犬等の動物には匂いを感じることができるが、人には匂いが感じられないといった特性を備える香料等がある。
【００３５】
これらの被識別剤の構成成分としては、通常人間の五感ではその存在を感じ取ることが難しいが、特定の条件が揃うとその存在を発見、識別することができるものが好ましく、このような成分を用いることでマーキングボール３３にステルス性を備えさせることができる。
つまり、識別対象に被識別剤が付着した場合、例えば昼間の屋外の場所等では識別対象に被識別剤が付着していることを認識することができないが、識別対象が磁気検出器や紫外光発生器の近傍を通過したとき、または暗闇の中に侵入したとき等に被識別剤の付着を認識することができたり、匂いを感じる動物等が反応したりする特性を付与することができるものである。
【００３６】
さらに、マーキングボール３３内に充填されている被識別剤に含まれる複数種類の成分の含有率を、マーキングボール３３毎に変化させることで、マーキングボール発射装置１とマーキングボール３３とを対応付けることが可能となる。
【００３７】
例えば、被識別剤が５種類の異なった成分Ａ・Ｂ・Ｃ・Ｄ・Ｅを含んでいる場合、各成分Ａ・Ｂ・Ｃ・Ｄ・Ｅの含有率をそれぞれ５水準の含有率に異ならせると（成分Ａについては含有率ａ１〜ａ５、成分Ｂについては含有率ｂ１〜ｂ５、成分Ｃについては含有率ｃ１〜ｃ５、成分Ｄについては含有率ｄ１〜ｄ５、成分Ｅについては含有率ｅ１〜ｅ５）、３１２５通り（５（成分）の５（水準）乗＝３１２５）の異なった成分の含有率のマーキングボール３３を構成することができる。例えば、あるマーキングボール３３は被識別剤を構成する成分が「Ａ（ａ１）＋Ｂ（ｂ１）＋Ｃ（ｃ１）＋Ｄ（ｄ１）＋Ｅ（ｅ１）」であり、別のマーキングボール３３では被識別剤を構成する成分が「Ａ（ａ１）＋Ｂ（ｂ２）＋Ｃ（ｃ３）＋Ｄ（ｄ４）＋Ｅ（ｅ５）」となる。なお、ここで、Ｘ（ｘ１）は、成分Ｘの含有率がｘ１であることを意味している。
【００３８】
そして、前記データベース６３には、マーキングボール発射装置１に装着されるマーキングボール３３の構成成分率と、そのマーキングボール発射装置１に付与されている固有の識別記号とが対応付けて記憶されている。
また、各マーキングボール発射装置１がどの場所に設置されまたは誰が携帯しているかの情報がデータベース６３に記憶されている。
さらに、各マーキングボール発射装置１に装填されるマーキングボール３３の成分含有率を、マーキングボール発射装置１の配置場所や地域に応じて異ならせている。
【００３９】
また、磁気検出器や紫外線発生器等といった、マーキングボール３３の被識別剤に含まれる各成分の検出器６５が、電柱や街灯の柱、各種施設・店舗・建物内外、および有料道路の料金所等の、屋内・屋外の適宜箇所に設置され、または警察官、警備員、および防犯担当者等の人物に適宜携帯されており、被識別剤が付着した識別対象がこの検出器６５の近傍を通過すると、検出器６５が各成分を検出できるようになっている。
被識別剤の成分を検出した検出器６５は、成分を検出した旨、および各成分の含有率に関する情報を、通信網Ｎを通じてサーバ６２へ送信する。サーバ６２では、受信した情報に含まれる各成分の含有率と、記憶装置であるデータベース６３に記憶されている被識別剤の各成分の含有率情報とを照合して、各成分の含有率が一致するマーキングボール３３に対応するマーキングボール発射装置１を特定する。
【００４０】
これにより、識別対象に付着している被識別剤が充填されていたマーキングボール３３が、どのマーキングボール発射装置１から発射されたかを特定することができる。
さらに、各マーキングボール発射装置１には、どの場所に設置され、または誰が形態しているかの固有情報が付与されてデータベース６３に記憶されており、マーキングボール３３を発射したマーキングボール発射装置１からは発射した時刻や発射エリア等の情報がサーバ６２に送信されてくるので、何時、何処でマーキングボール３３が発射されたかを特定することができる。
また、成分情報を送信してきた検出器６５の設置場所等に関する情報もデータベース６３に記憶されているので、被識別剤が付着した識別対象が現在何処にいるかを把握することも可能となっている。
【００４１】
マーキングボール発射装置１や検出器６５から送信されてきた情報や、これらの情報をサーバ６２にて処理して得られたマーキングボール３３が何時、何処で発射されたかの情報、および被識別剤が付着した識別対象が現在何処にいるかといった情報等は、警察や警備会社等の機関６６に送信される。
これらの情報を受け取った機関６６は、この情報を参考にして迅速且つ確実に識別対象を発見、識別して、拘束、検挙することが可能となり、防犯抑止効果を大幅に向上させることができる。
【００４２】
上述のごとく、マーキングボール発射装置１には小型通信端末５１が装着されており、操作レバー１２を操作してマーキングボール３３を発射させると発信スイッチ５２がオンして、マーキングボール３３が発射された旨の情報および該マーキングボール発射装置１に固有の情報（例えばマーキングボール発射装置１毎に付与されるシリアルナンバーや、発射時刻や、発射装置の配置場所等の情報）が、装着された小型通信端末５１から、予め設定されている送信先であるデータステーション６１のサーバ６２へ送信されるように構成している。
これにより、データステーション６１にて、マーキングボール３３がどのマーキングボール発射装置１から何時、何処で発射されたのか、といったような事象を特定、把握することができ、マーキングボール３３が当たった識別対象を識別、拘束するために有益な情報を容易に得ることが可能となっている。
【００４３】
また、小型通信端末５１はデータ通信機能を有しており、さらに撮像機能、音声記録機能、および位置情報取得機能を有するものである場合は、強盗等の突発事件が発生した現場の状況や現場にいる識別対象を画像や音声で直接捕らえたり、マーキングボール３３の発射場所を正確に把握したりすることができ、識別対象の識別、拘束を、より容易に行うことが可能となる。
【００４４】
また、マーキングボール３３内には複数種類の成分を含む被識別剤が充填されており、被識別剤の各成分の含有率が異なる複数のマーキングボール３３が存在し、マーキングボール発射装置１に装着されているマーキングボール３３における被識別剤の各成分の含有率と、そのマーキングボール発射装置１に固有の情報とを対応付けた情報が、前記データベース６３に記憶されているので、何時、何処で、どのマーキングボール発射装置１からマーキングボール３３が発射されたかを特定することができるとともに、被識別剤が付着した識別対象が現在何処にいるかも容易に把握することができ、識別対象の識別、拘束をさらに確実に行うことが可能となっている。
【００４５】
また、図１０に示すように、マーキングボール発射装置１は、本体部１０の本体ボディ１１を途中で屈曲して「く」字状に曲げた形状とすることもできる。この場合、マーキングボール発射装置１は、モデルガンのように、ガスホルダー部２０を握って人指し指等を操作レバー１２にかけながら体の正面で構え易くなり、識別対象を狙い易くなる。
【実施例２】
【００４６】
次に、実施例２の構成について説明する。
図１１は他の実施例である発射装置の斜視図。
図１２は同じく正面図。
図１３は同じく後面図。
図１４は同じく側面図。
この実施例に示す発射装置１００は、ボディ１０１に装着されたレーザポインタ１４０により、狙いを定め、トリガー１１０を押すことにより、射出口１３０よりマーキングボールを射出する。マーキングボールの射出はガス圧を利用し、キャップ１２０を開き装着されるガスボンベより供給される。
ボディ１０１は樹脂により構成されており、正面視において縦長形状であって、側面視において横長の略長方形状に構成されている。ボディ１０１の中央下部および前上部には、側面視において、弧状のくぼみが形成されている。そして、側面の前部中央に凹部を設けており、この凹部にレーザポインタ１４０を装着可能に構成している。また、ボディ１０１配設側側面が盛り上がった形状となっている。
射出口１３０はボディ１０１の下部において長手方向に沿って設けられており、レーザポインタ１４０のレーザー光照射方向に向けられている。射出口１３０の上方にはキャップ１２０が配設され、キャップ１２０の内側にガスボンベが配設される。下部に設けられた射出口１３０と上部に設けられたキャップ１２０の間には、レーザポインタ１４０が配設されており、ボディ１０１において、射出口１３０とガスボンベ装着部とレーザポインタ配設部とが、前部に集約された構成となっている。そして、ボディ１０１の後上部にトリガー１１０が配設されている。
ボディ１０１の後部には、マーキングボールを収納するカートリッジ１５２およびガスボンベを開封するためのピストンが配設されている。カートリッジ収納部はカートリッジキャップ１５０により閉じられている。
ボディ１０１のトリガー配設部の近傍には、安全ピン挿入孔１０１ｓが設けられており、この安全ピン挿入孔１０１ｓに安全ピンを挿入することにより、トリガー１１０が固定されマーキングボールの誤発射が防止される。
【００４７】
次に発射装置の内部構成について説明する。
図１５は発射装置の斜視一部断面図。
図１６は同じく側面断面図。
図１７はボディへの組み付け構成を示す図。
図１８は発射過程を示す図。
発射過程は図１８（ａ）、図１８（ｂ）、図１８（ｃ）の順に進む。発射装置１００は、図１８（ａ）のようにトリガー１１０が押され、図１８（ｂ）に示すようにピストン１１１が開放され、図１８（ｃ）に示すようにガスボンベ１２１が開封されて、カートリッジ１５２内のマーキングボール３３が発射される構成となっている。
発射装置１００を構成するボディ１０１の内部構成について説明する。
ボディ１０１の前上部には、ガスボンベ１２１を配設するボンベ収納部１０２が設けられており、ボディ１０１の上部中央部から後部にかけて、ピストン１１１を配設するためのピストン室１０３が設けられている。
ボンベ収納部１０２とピストン室１０３とは、連通孔１０２ｂにより連通しており、この連通孔１０２ｂにガスボンベ１２１の先端部を挿入した状態で、キャップ１２０によりボンベ収納部１０２を閉じて、ボンベ１２１をボンベ収納部１０２内に固定する。これにより、ガスボンベ１２１の先端部がピストン室１０３に向けて配設され、ピストン１１１によりガスボンベ１２１を開封可能となる。
ピストン１１１は、バネ１１２の弾性力によりガスボンベ１２１に向けて押し出されるものであり、ピストン１１１の内側にバネ１１２が装着される構成となっている。バネ１１２の前端はピストン１１１に挿入されており、後端はキャップ１６０に当接している。  マーキングボール３３を発射する前には、ピストン１１１はトリガー１１０に接続する係止ピン１１０ｇに係止されており、バネ１１２がピストン１１１とキャップ１６０との間において圧縮された状態で保持される。
そして、トリガー１１０により係止ピン１１０ｇを操作して、ピストン１１１の係止を解除することにより、ピストン１１１がバネ１１２の弾性力により前方に押し出されガスボンベ１２１に衝突する。トリガー１１０の前部とボディ１０１との間にはバネ１１０ｂが配設されており、トリガー１１０の前部を上方に付勢している。
トリガー１１０の下部には左右方向に支軸１１０ｄが装着されており、安全ピン孔１１０ｃが設けられている。支軸１１０ｄはトリガー１１０を傾動可能に支持する構成となっている。そして、安全ピン孔１１０ｃには安全ピンが挿入され、誤発射を防止する。ボディ１０１の安全ピン挿入孔１０１ｓに挿入された安全ピンはトリガー１１０の安全ピン孔１１０ｃに挿入され、トリガー１１０がボディ１０１に固定される。これにより発射装置１００の誤発射を防止する構成となっている。
【００４８】
ピストン室１０３はガス供給孔１０４を介してカートリッジ装着部１０５と連通している。カートリッジ装着部１０５はボディ１０１の後下部に設けられており、射出口１３０の延長上に位置する。カートリッジ１５２は、マーキングボール３３を複数個保持する。カートリッジ１５２は筒状に構成されており、内側にマーキングボール３３を複数個保持する。カートリッジ１５２の後端部には、前および中央部よりも大径に構成された大径部１５２ｂが設けられており、この大径部１５２ｂがカートリッジ装着部１０５の当接面１０５ｂに当接して、カートリッジ１５２の位置決めが行われる。
そして、カートリッジ１５２とカートリッジキャップ１５０との間にはスペーサ１５３が配設される。スペーサ１５３はカートリッジキャップ１５０と一体的に構成されるので、カートリッジ１５２の位置決めを容易に行うことができる。
そして、ホルダー１５２とキャップ１５１との間には開口が設けられているので、ガスボンベ１２１からのガス圧がカートリッジ１５２の後部にかかり、マーキングボール３３を射出することができる。
【００４９】
このように、発射装置１００は、射出口１３０の配設方向に沿って、ガスボンベ１２１および開封手段であるピストン１１１、そしてカートリッジ１５２を配設するとともに、ガスボンベ１２１およびピストン１１１を射出口１３０およびカートリッジ１５２に対してオフセットした位置に配設している。さらに、ガスの噴出経路は、ボディ１０１において前方から後方に向かい、ボディ１０１後部において折り返し、再び前方へと噴出し、射出口１３０よりマーキングボール３３を打ち出す。ボディ１０１内においてガスの噴出経路を折り返すことにより、発射装置１００をコンパクトに構成できる。
【００５０】
次に、実施例２におけるピストンの構成について説明する。
まず、第１例のピストン構成について説明する。
図１９は実施例２における第１例のピストン構成を示す斜視図。
図２０は同じく側面図および正面図。図２０（ａ）は側面図、図２０（ｂ）は正面図。  ピストン１１１には、突起部１７１、開口部１７０、係合部１７２が構成されている。  突起部１７１はピストン１１１の前部において先端部を前方に向けて配設される。第１例において、突起部１７１は四角錐形状をピストン１１１の正面に取付けた形状となっている。
このように、ピストン１１１の先端部である突起部１７１を多角形状で鋭角に構成するので、炭酸ガスが封入されているガスボンベ１２１の開封蓋を切り込むように開封することができる。突起部１７１の角部が開封蓋を上下左右に切り込むので、容易に開封することができる。そして、突起部１７１の耐久性を向上でき、ガスボンベ１２１の開封蓋を大きく開口させることができる。開口を大きくすることにより、ガス放出量を大きくし、マーキングボール３３の発射速度を増大し、飛距離、有効射程距離、威力などを向上できる。また、発射装置１００が小型であっても十分な飛距離および有効射程距離を得ることが出来る。
【００５１】
そして、ピストン１１１の正面および前部側面には、開口部１７０が設けられており、ピストン１１１の外側と内側とを連通する構成となっている。そして、ピストン１１１の中央部には周に添って窪んだ小径部である係合部１７２が構成されている。係合部１７２はトリガー１１０に接続した係止ピン１１０ｇと係合して、ピストン１１１を係止する部位となっている。
【００５２】
係止部１７２の後方には後方に向いた傾斜部１７３が構成されている。傾斜部１７３は後方に向けて径が小さくなるように構成されており、これにより、ピストン１１１をセットするときに円滑に係止ピン１１０ｇとの係合を行う構成となっている。
係止ピン１１０ｇとの係合がはずれた状態から、ピストン１１１を後方に押し込むと、トリガー１１０の係止ピン１１０ｇが傾斜部１７３に添って押し上げられる。そしてさらに、ピストン１１１を押し込むことにより、係止ピン１１０ｇが係合部１７２に嵌合し、ピストン１１１が係止される。このように、ピストン１１１を後方に押し込むことにより、自動的に係止ピン１１０ｇが押し上げられ、容易にピストン１１１を係止状態とすることができる。
【００５３】
次に、第２例のピストン構成について説明する。
図２１は第２例のピストン構成を示す斜視図。
図２２は同じく側面図および正面図。図２２（ａ）は側面図、図２２（ｂ）は正面図。  ピストン１１１には、突起部１７１ｂ、開口部１７０、係合部１７２が構成されている。
突起部１７１ｂはピストン１１１の前部において先端部を前方に向けて配設される。第２例において、突起部１７１ｂは略四角錐形状をピストン１１１の正面に取付けた形状となっており、側面がえぐれた形状となっており、側面が弧状にくぼみ、先端に向かうほど鋭角に構成されている。
このように、ピストン１１１の先端部である突起部１７１ｂを多角形状で先端側を鋭角に構成するので、ガスボンベ１２１の開封蓋を切り込むように開封することができ、ピストン１１１の耐久性を向上できる。
【００５４】
次に、第３例のピストン構成について説明する。
図２３は第２例のピストン構成を示す斜視図。
図２４は同じく側面図および正面図。図２４（ａ）は側面図、図２４（ｂ）は正面図。  ピストン１１１には、突起部１７１ｃ、開口部１７０、係合部１７２が構成されている。
突起部１７１ｃはピストン１１１の前部において先端部を前方に向けて配設される。第３例において、突起部１７１ｃは略四角錐形状をピストン１１１の正面に取付けた形状となっており、側面中央に切化基部１７１ｄを設けている。切欠き部１７１ｄは突起部１７１ｃの各側面に設けられる。
このように、切化基部１７１ｄを設けているので、ガスボンベ１２１の開封蓋が突起部１７１ｃの側面から受ける面圧が大きくなり、開封時において切欠き部１７１ｄがガスの噴出経路となり、開封が円滑に行われるとともに、ガスボンベ１２１の開封蓋がより切り込むように開封されることとなる。これにより、開封蓋を容易にあけることができ、ピストン１１１の耐久性を向上できる。
【００５５】
次に、発射装置１００の把持構成について説明する。
図２５は発射装置の把持例を示す図。
図２５に示す発射装置１００は、右利き用のものであり、発射装置１００の膨らんだ側面を掌に向けて把持される。これにより、親指をトリガー１１０の上に位置させ、マーキングボール射出方向に人差し指を伸ばすと自然にレーザポインタ１４０に添えられるようになっている。これにより自然な動作で発射装置１００を操作することができる。
【００５６】
また、発射装置１００には、Ｂｌｕｅｔｏｏｔｈ（登録商標）やＨｏｍｅＲＦ（登録商標）などの無線通信技術に対応した近距離無線端末を装着することができる。このような端末を利用して、携帯電話などの通信網に接続する端末にマーキングボール３３の発射情報を送信することができる。トリガー１１０とボディ１０１との間に、近距離無線端末の発信スイッチを配置し、トリガー１１０を押すとオンとなりマーキングボール３３の発射情報を携帯電話に送信する。
このように、近距離無線端末を発射装置１００に装着することで、マーキングボールを識別対象へ発射した場合に、発射日時や発射場所等の各種情報を配信・記録・蓄積等して、マーキングボール３３の被識別剤が付着した識別対象の発見および識別を容易に可能とする識別システムを構成することができる。
また、近距離無線端末を利用するので、マーキングボール３３の発射情報の暗号化および改ざん防止などのセキュリティー性を向上できる。
【図面の簡単な説明】
【００５７】
【図１】本発明にかかるマーキングボール発射装置を示す側面図である。
【図２】マーキングボール発射装置を示す側面断面図である。
【図３】バレルの本体ボディへの接続部を示す側面図である。
【図４】ピストンを発射可能状態にセットする様子を示す側面断面図である。
【図５】操作レバーが操作されピストンによりガスボンベが開封された様子を示す側面断面図である。
【図６】ガスボンベから放出された圧縮気体の圧力によりマーキングボールが発射される様子を示す側面断面図である。
【図７】シェルカートリッジの内径、マーキングボールの直径、およびバレルの内径の関係を示す側面断面図である。
【図８】小型携帯端末が装着されたマーキングボール発射装置を示す側面図である。
【図９】識別システムを示す概要図である。
【図１０】マーキングボール発射装置の第二の実施形態を示す側面図である。
【図１１】他の実施例である発射装置の斜視図。
【図１２】同じく正面図。
【図１３】同じく後面図。
【図１４】同じく側面図。
【図１５】発射装置の斜視一部断面図。
【図１６】同じく側面断面図。
【図１７】ボディへの組み付け構成を示す図。
【図１８】発射過程を示す図。
【図１９】実施例２における第１例のピストン構成を示す斜視図。
【図２０】同じく側面図および正面図。
【図２１】第２例のピストン構成を示す斜視図。
【図２２】同じく側面図および正面図。
【図２３】第２例のピストン構成を示す斜視図。
【図２４】同じく側面図および正面図。
【図２５】発射装置の把持例を示す図。
【符号の説明】
【００５８】
１  マーキングボール発射装置
１０  本体部
１１  本体ボディ
１１ａ  ガス通路
１２  操作レバー
１３  ピストン
２０  ガスホルダー部
２１  ホルダー
２２  ガスボンベ
３０  バレル部
３１  バレル
３２  シェルカートリッジ
３３  マーキングボール
６２  サーバ
６３  データベース